(57)【特許請求の範囲】
【請求項１】
圧縮機と共に冷凍サイクルを構成し冷却運転時に蒸発器として働き庫内の空気を冷却する庫内熱交換器と、
前記庫内熱交換器により冷却された空気が前記庫内を循環するように送風する回転数可変の庫内ファンと、
前記庫内熱交換器が所定の冷却能力を有しているか否かを判定する庫内熱交換器冷却能力判定手段と、
前記圧縮機に液冷媒が流入する虞があるか否かを判定する圧縮機液冷媒流入判定手段と、前記圧縮機と前記庫内ファンの運転を制御する運転制御手段と、
前記庫内の温度を検出する庫内温度検出手段と、
前記庫内温度検出手段の検出結果に応じて前記庫内ファンの回転数を設定する庫内ファン回転数設定手段と、を有し、
庫内は複数有り、複数の前記庫内のそれぞれに前記庫内熱交換器と前記庫内ファンと前記庫内温度検出手段とが設けられ、
前記運転制御手段は、節電運転中は前記圧縮機と前記庫内ファンの運転を停止し、前記節電運転が終了すると前記圧縮機の運転を開始し、前記庫内ファンに対しては、前記節電運転終了により前記圧縮機が運転を開始してから、前記庫内熱交換器が所定の冷却能力を有していることの前記庫内熱交換器冷却能力判定手段による判定と前記圧縮機に液冷媒が流入する虞があることの前記圧縮機液冷媒流入判定手段による判定のどちらか早い方の判定があるまでの間は、前記庫内ファンの回転数を通常の前記庫内ファン運転時の回転数よりも低く抑え、
前記庫内ファン回転数設定手段は、複数の前記庫内が有するそれぞれの前記庫内温度検出手段が検出した庫内温度が高い順に、対応するそれぞれの前記庫内ファンの回転数を低く設定することを特徴とする物品冷却装置。
【請求項２】
前記庫内熱交換器冷却能力判定手段は、庫内熱交換器温度検出手段が検出した前記庫内熱交換器の温度が所定温度以下になった場合に前記庫内熱交換器が所定の冷却能力を有していると判定する請求項１記載の物品冷却装置。
【請求項３】
前記庫内熱交換器冷却能力判定手段は、庫内熱交換器周囲温度検出手段が検出した前記庫
内熱交換器の周囲の温度が所定温度以下になった場合に前記庫内熱交換器が所定の冷却能力を有していると判定する請求項１記載の物品冷却装置。
【請求項４】
前記圧縮機液冷媒流入判定手段は、庫内熱交換器冷媒流出部温度検出手段が検出した前記庫内熱交換器の冷媒流出部の温度が所定温度以下になった場合に前記圧縮機に液冷媒が流入する虞があると判定する請求項１から３のいずれか一項に記載の物品冷却装置。
【請求項５】
前記圧縮機液冷媒流入判定手段は、圧縮機吸込み管温度検出手段が検出した前記圧縮機の冷媒の吸込み管の温度が所定温度以下になった場合に前記圧縮機に液冷媒が流入する虞があると判定する請求項１から３のいずれか一項に記載の物品冷却装置。
【請求項６】
前記運転制御手段は、前記節電運転終了後の前記庫内ファンの回転数を段階的に増加させることを特徴とする請求項１から５のいずれか１項に記載の物品冷却装置。
【請求項７】
前記運転制御手段は、前記節電運転終了後の前記庫内ファンの運転開始を前記圧縮機の運転開始よりも遅らせることを特徴とする請求項１から６のいずれか１項に記載の物品冷却装置。
【請求項８】
請求項１から請求項７のいずれか１項の物品冷却装置を備えた自動販売機。
【発明の詳細な説明】
【技術分野】
【０００１】
本発明は、節電運転中に冷却運転を停止する物品冷却装置とそれを備えた自動販売機に関するものである。
【背景技術】
【０００２】
一般に缶入り飲料等の冷却された商品を販売する自動販売機では、圧縮機と共に冷凍サイクルを構成する庫内熱交換器で冷却された空気を庫内ファンにより送風して庫内の商品を冷却している。
【０００３】
近年、日本国内に設置されているこの種の自動販売機では、夏場の電力需要を平準化するために、７〜９月の３ヶ月間の平日は、電力需要の少ない午前中から午後１時までの間に商品を冷やし込み、午後１〜４時の３時間は冷却装置の運転を停止する節電運転を行っている。
【０００４】
ところで、冷凍サイクルの運転が長時間停止されると、その運転の停止中に、庫内熱交換器内の液冷媒はほとんど蒸発し、それに伴って庫外熱交換器内の液冷媒も庫内熱交換器に流入して蒸発するようになるため、冷凍サイクル内はガス冷媒のみの状態となる。
【０００５】
このため、冷凍サイクルの運転が長時間停止される節電運転終了後に圧縮機の運転が再開されても、庫内熱交換器には、しばらく液冷媒が供給されないため、庫内熱交換器が周囲の空気を冷却できる状態になるまで時間がかかる。
【０００６】
しかしながら、庫内ファンは圧縮機の運転開始に同期して運転されるため、庫内熱交換器により冷却されていない空気が庫内に送風されることとなり、庫内ファンの運転が無駄であるばかりか、かえって商品を暖めることになってしまうという不具合を生ずる。
【０００７】
そこで、庫内熱交換器が周囲の空気を冷却できる状態になる時期を考慮して、圧縮機の長時間停止後の庫内ファンの運転を、圧縮機の運転開始時点から遅延時間をおいて開始させることが提案されている（例えば、特許文献１参照）。
【先行技術文献】
【特許文献】
【０００８】
【特許文献１】特開平１０−０８３４８２号公報
【発明の概要】
【発明が解決しようとする課題】
【０００９】
しかしながら、上記特許文献１に記載の従来の自動販売機では、庫内ファンの運転中の回転数が一定で、圧縮機の長時間停止後の庫内ファンの運転を、圧縮機の運転開始時点から遅延時間をおいて開始させているため、庫内ファンの運転開始直前の頃には庫内熱交換器に充分な量の液冷媒が供給されているにもかかわらず、庫内ファンが停止しているために庫内熱交換器に供給された液冷媒が庫内熱交換器を介して庫内熱交換器の周囲の空気と充分な熱交換ができない。
【００１０】
そのため、庫内熱交換器において蒸発しきらない液冷媒の割合が増え、蒸発しきらない液冷媒が圧縮機に戻って圧縮機が液圧縮により寿命を縮めてしまうという課題を有していた。
【００１１】
本発明は、上記従来の課題を解決するものであり、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにすることができる物品冷却装置とそれを備えた自動販売機を提供することを目的とする。
【課題を解決するための手段】
【００１２】
上記目的を達成するために、本発明の物品冷却装置は、運転制御手段が、節電運転中は圧縮機と庫内ファンの運転を停止し、前記節電運転が終了すると前記圧縮機の運転を開始し、前記庫内ファンに対しては、前記節電運転終了により前記圧縮機が運転を開始してから、庫内熱交換器が所定の冷却能力を有していることの庫内熱交換器冷却能力判定手段による判定と前記圧縮機に液冷媒が流入する虞があることの圧縮機液冷媒流入判定手段による判定のどちらか早い方の判定があるまでの間は、前記庫内ファンの回転数を通常の前記庫内ファン運転時の回転数よりも低く抑え、前記庫内ファン回転数設定手段は、複数の前記庫内が有するそれぞれの前記庫内温度検出手段が検出した庫内温度が高い順に、対応するそれぞれの前記庫内ファンの回転数を低く設定するのである。
【００１３】
上記構成において、庫内ファンに回転数可変の庫内ファンを用いており、節電運転終了により圧縮機が運転を開始してから、庫内熱交換器が所定の冷却能力を有していることの庫内熱交換器冷却能力判定手段による判定と圧縮機に液冷媒が流入する虞があることの圧縮機液冷媒流入判定手段による判定のどちらか早い方の判定があるまでの間は、運転制御手段が庫内ファンの回転数を通常の庫内ファン運転時の回転数よりも低く抑える。
【００１４】
そのため、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにすることができる。
【発明の効果】
【００１５】
本発明によれば、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにすることができる。
【図面の簡単な説明】
【００１６】
【図１】本発明の実施の形態１における物品冷却装置を備えた自動販売機の本体内部構造を示す概略構成図
【図２】同実施の形態の自動販売機の冷凍サイクルの構成図
【図３】同実施の形態の自動販売機の制御系を示すブロック図
【図４】同実施の形態の自動販売機の節電運転後の圧縮機の運転状態と各庫内ファンの回転数の関係を示すタイムチャート
【図５】同実施の形態の自動販売機の運転制御手段による節電運転終了を検知してからの制御を示すフローチャート
【図６】本発明の実施の形態２における物品冷却装置を備えた自動販売機の節電運転後の圧縮機の運転状態と各庫内ファンの回転数の関係を示すタイムチャート
【図７】本発明の実施の形態３における物品冷却装置を備えた自動販売機の制御系を示すブロック図
【図８】同実施の形態の自動販売機の節電運転後の圧縮機の運転状態と各庫内ファンの回転数の関係を示すタイムチャート
【図９】同実施の形態の自動販売機の運転制御手段による節電運転終了を検知してからの制御を示すフローチャート
【発明を実施するための形態】
【００１７】
第１の発明は、圧縮機と共に冷凍サイクルを構成し冷却運転時に蒸発器として働き庫内の空気を冷却する庫内熱交換器と、前記庫内熱交換器により冷却された空気が前記庫内を
循環するように送風する回転数可変の庫内ファンと、前記庫内熱交換器が所定の冷却能力を有しているか否かを判定する庫内熱交換器冷却能力判定手段と、前記圧縮機に液冷媒が流入する虞があるか否かを判定する圧縮機液冷媒流入判定手段と、前記圧縮機と前記庫内ファンの運転を制御する運転制御手段とを有し、前記運転制御手段は、節電運転中は前記圧縮機と前記庫内ファンの運転を停止し、前記節電運転が終了すると前記圧縮機の運転を開始し、前記庫内ファンに対しては、前記節電運転終了により前記圧縮機が運転を開始してから、前記庫内熱交換器が所定の冷却能力を有していることの前記庫内熱交換器冷却能力判定手段による判定と前記圧縮機に液冷媒が流入する虞があることの前記圧縮機液冷媒流入判定手段による判定のどちらか早い方の判定があるまでの間は、前記庫内ファンの回転数を通常の前記庫内ファン運転時の回転数よりも低く抑えることを特徴とする物品冷却装置である。
【００１８】
上記構成の物品冷却装置は、庫内ファンに回転数可変の庫内ファンを用いており、節電運転終了により圧縮機が運転を開始してから、庫内熱交換器が所定の冷却能力を有していることの庫内熱交換器冷却能力判定手段による判定と圧縮機に液冷媒が流入する虞があることの圧縮機液冷媒流入判定手段による判定のどちらか早い方の判定があるまでの間は、運転制御手段が庫内ファンの回転数を、通常の庫内ファン運転時の回転数よりも低く抑える。
【００１９】
そのため、節電運転終了により、圧縮機の運転開始に同期して庫内ファンが通常運転時の回転数で運転開始する場合に比べて、圧縮機が運転を開始してから所定条件を満たすまでの間は、庫内ファンの回転数を低く抑えている分、庫内熱交換器により充分に冷却されずに庫内に送風される空気の量は少なく、また、庫内熱交換器を通過する空気の流れが遅いことにより庫内熱交換器を通過する空気が庫内熱交換器で熱交換する時間が長くなって庫内熱交換器により冷却されやすくなる。
【００２０】
ゆえに、庫内ファンの運転で庫内熱交換器により冷却されていない空気が庫内に送風されて、庫内の物品を暖めてしまう不具合の発生を抑えることができる。
【００２１】
そして、圧縮機に液冷媒が流入する虞があると圧縮機液冷媒流入判定手段が判定する前でも、庫内熱交換器が所定の冷却能力を有していると庫内熱交換器冷却能力判定手段が判定すれば、運転制御手段が庫内ファンの回転数を通常運転時の回転数に高めるので、庫内熱交換器の冷却能力が所定の冷却能力に高まっているにもかかわらず、通常の庫内ファン運転時の回転数よりも低く抑えた回転数で庫内ファンが運転されることにより、庫内の冷却が遅れる不具合を抑制できる。
【００２２】
また、庫内ファンを通常運転時の回転数で運転する前に、回転数を低く抑えながらも庫内ファンを運転するので、圧縮機の運転開始により徐々に庫内熱交換器への供給量が増加していく液冷媒は庫内熱交換器を介して庫内熱交換器の周囲の空気と熱交換でき、庫内熱交換器に充分な量の液冷媒が供給される頃（庫内熱交換器の冷却能力が充分な冷却能力に高まる頃）には、運転制御手段が庫内ファンを通常運転時の回転数で運転しているので、充分な供給量になった液冷媒も庫内熱交換器を介して庫内熱交換器の周囲の空気と熱交換できることになる。
【００２３】
また、庫内熱交換器が所定の冷却能力を有していると庫内熱交換器冷却能力判定手段が判定する前でも、圧縮機に液冷媒が流入する虞があると圧縮機液冷媒流入判定手段が判定すれば、運転制御手段が低く抑えていた庫内ファンの回転数を通常運転時の回転数に高めるので、庫内熱交換器における周囲の空気との熱交換量が増加して、庫内熱交換器において蒸発しきらない液冷媒が圧縮機に戻って圧縮機の寿命を縮めないようにすることができる。
【００２４】
第２の発明は、特に第１の発明の前記庫内熱交換器冷却能力判定手段が、庫内熱交換器温度検出手段が検出した前記庫内熱交換器の温度が所定温度以下になった場合に前記庫内熱交換器が所定の冷却能力を有していると判定することを特徴とする。
【００２５】
庫内熱交換器の冷却能力は庫内熱交換器の温度で推定できるので、庫内熱交換器の温度を検出する庫内熱交換器温度検出手段を設けて、前記庫内熱交換器温度検出手段が検出した前記庫内熱交換器の温度が所定温度以下になった場合に前記庫内熱交換器が所定の冷却能力を有していると判定することができる。
【００２６】
そして、上記構成の物品冷却装置は、庫内ファンに回転数可変の庫内ファンを用いており、節電運転終了により圧縮機が運転を開始してから、庫内熱交換器温度検出手段が検出した庫内熱交換器の温度が所定温度以下になったことの庫内熱交換器冷却能力判定手段による判定と圧縮機に液冷媒が流入する虞があることの圧縮機液冷媒流入判定手段による判定のどちらか早い方の判定があるまでの間は、運転制御手段が庫内ファンの回転数を、通常の庫内ファン運転時の回転数よりも低く抑える。
【００２７】
そのため、第１の発明の作用効果に加えて、第１の発明における庫内熱交換器冷却能力判定手段を容易に実現できる。
【００２８】
庫内熱交換器の温度は、冷媒の流入側、流出側、風上側、風下側など、測定する部位によって異なり、庫内熱交換器が、例えば、互いに平行に所定の間隔をあけて多数並べられたフィンと、そのフィンを貫通する冷媒管からなるフィンチューブ型熱交換器である場合は、冷媒管とフィンで温度が異なるため、庫内熱交換器の平均的な温度を検出できる部位に庫内熱交換器温度検出手段を取り付けることが望ましい。
【００２９】
第３の発明は、特に第１の発明の前記庫内熱交換器冷却能力判定手段が、庫内熱交換器周囲温度検出手段が検出した前記庫内熱交換器の周囲の温度が所定温度以下になった場合に前記庫内熱交換器が所定の冷却能力を有していると判定することを特徴とする。
【００３０】
庫内熱交換器の冷却能力は庫内熱交換器の周囲の温度で推定できるので、庫内熱交換器の周囲の温度を検出する庫内熱交換器周囲温度検出手段を設けて、前記庫内熱交換器周囲温度検出手段が検出した前記庫内熱交換器の周囲の温度が所定温度以下になった場合に前記庫内熱交換器が所定の冷却能力を有していると判定することができる。
【００３１】
ところで、熱交換器に温度センサ等の温度検出手段を取り付けて熱交換器の温度を検出する場合は、温度検出手段を取り付ける熱交換器の部位による検出温度のバラツキや、温度検出手段の取り付け方による熱交換器と温度検出手段との密着具合または周囲の空気の温度の影響による検出温度のバラツキがある。
【００３２】
これに対して、庫内熱交換器の周囲の温度を温度センサ等の温度検出手段で検出する場合は、熱交換器に温度センサ等の温度検出手段を取り付けて熱交換器の温度を検出する場合よりも、検出温度のバラツキが小さく、熱交換器により冷却された空気の温度を検出するため、熱交換器の冷却能力を適切に判定できる可能性がある。
【００３３】
そして、上記構成の物品冷却装置は、庫内ファンに回転数可変の庫内ファンを用いており、節電運転終了により圧縮機が運転を開始してから、庫内熱交換器周囲温度検出手段が検出した庫内熱交換器の周囲の温度が所定温度以下になったことの庫内熱交換器冷却能力判定手段による判定と圧縮機に液冷媒が流入する虞があることの圧縮機液冷媒流入判定手段による判定のどちらか早い方の判定があるまでの間は、運転制御手段が庫内ファンの回
転数を、通常の庫内ファン運転時の回転数よりも低く抑える。
【００３４】
そのため、第１の発明の作用効果に加えて、第１の発明における庫内熱交換器冷却能力判定手段を精度良く実現できる。
【００３５】
なお、庫内熱交換器の周囲の温度の検出箇所としては、庫内熱交換器の下流側が、庫内熱交換器により冷却されて庫内に流れる空気の温度に最も近い温度を検出することになるため、庫内熱交換器の冷却能力を判定するための基になる庫内熱交換器の周囲の温度の検出箇所として望ましい。
【００３６】
第４の発明は、特に第１から第３の発明に加えて、前記圧縮機液冷媒流入判定手段が、庫内熱交換器冷媒流出部温度検出手段が検出した前記庫内熱交換器の冷媒流出部の温度が所定温度以下になった場合に前記圧縮機に液冷媒が流入する虞があると判定することを特徴とする。
【００３７】
一般に、庫内熱交換器内を流れる冷媒と庫内熱交換器の周囲空気との熱交換量が多くなるほど、庫内熱交換器において液冷媒の気化が進んで、周囲空気との熱交換で液冷媒がなくなると、庫内熱交換器の冷媒流出部の温度が上昇して、庫内熱交換器の冷媒流出部の温度と庫内熱交換器の周囲空気の温度との温度差が小さくなる。
【００３８】
一方、庫内熱交換器の冷媒流出部から流出する冷媒に液冷媒が含まれていれば、庫内熱交換器の冷媒流出部の温度は、庫内熱交換器の周囲空気の温度よりも低い所定温度以下になる。
【００３９】
したがって、庫内熱交換器の冷媒流出部の温度を検出する庫内熱交換器冷媒流出部温度検出手段を設けて、前記庫内熱交換器冷媒流出部温度検出手段が検出した前記庫内熱交換器の冷媒流出部の温度が所定温度以下になった場合に圧縮機に液冷媒が流入する虞があると判定することができる。
【００４０】
そして、上記構成の物品冷却装置は、庫内ファンに回転数可変の庫内ファンを用いており、節電運転終了により圧縮機が運転を開始してから、庫内熱交換器が所定の冷却能力を有していることの庫内熱交換器冷却能力判定手段による判定と庫内熱交換器冷媒流出部温度検出手段が検出した庫内熱交換器の冷媒流出部の温度が所定温度以下になったことの圧縮機液冷媒流入判定手段による判定のどちらか早い方の判定があるまでの間は、運転制御手段が庫内ファンの回転数を、通常の庫内ファン運転時の回転数よりも低く抑える。
【００４１】
そのため、第１から第３の発明の作用効果に加えて、第１から第３の発明における圧縮機液冷媒流入判定手段を容易に実現できる。
【００４２】
第５の発明は、特に第１から第３の発明に加えて、前記圧縮機液冷媒流入判定手段が、圧縮機吸込み管温度検出手段が検出した前記圧縮機の冷媒の吸込み管の温度が所定温度以下になった場合に前記圧縮機に液冷媒が流入する虞があると判定することを特徴とする。
【００４３】
一般に、庫内熱交換器内を流れる冷媒と庫内熱交換器の周囲空気との熱交換量が多くなるほど、庫内熱交換器において液冷媒の気化が進んで、庫内熱交換器の冷媒流出部の温度が上昇して、庫内熱交換器の冷媒流出部の温度と庫内熱交換器の周囲空気の温度との温度差が小さくなる。
【００４４】
また、庫内熱交換器の冷媒流出部から圧縮機の冷媒の吸込み管に流入した冷媒は、吸込み管の周囲空気と熱交換して暖められて圧縮機に流入する。
【００４５】
一方、圧縮機の冷媒の吸込み管を通過する冷媒にまだ気化できなかった液冷媒が含まれていれば、圧縮機の冷媒の吸込み管の温度は、所定温度以下になる。
【００４６】
したがって、圧縮機の冷媒の吸込み管の温度を検出する圧縮機吸込み管温度検出手段を設けて、前記圧縮機吸込み管温度検出手段が検出した前記圧縮機の冷媒の吸込み管の温度が所定温度以下になった場合に圧縮機に液冷媒が流入する虞があると判定することができる。
【００４７】
そして、上記構成の物品冷却装置は、庫内ファンに回転数可変の庫内ファンを用いており、節電運転終了により圧縮機が運転を開始してから、庫内熱交換器が所定の冷却能力を有していることの庫内熱交換器冷却能力判定手段による判定と圧縮機吸込み管温度検出手段が検出した圧縮機の冷媒の吸込み管の温度が所定温度以下になったことの圧縮機液冷媒流入判定手段による判定のどちらか早い方の判定があるまでの間は、運転制御手段が庫内ファンの回転数を、通常の庫内ファン運転時の回転数よりも低く抑える。
【００４８】
そのため、第１から第３の発明の作用効果に加えて、第１から第３の発明における圧縮機液冷媒流入判定手段を容易に実現でき、第４の発明よりも判定の基になる温度を検出する位置が圧縮機に近いため、第４の発明よりも正確に圧縮機に液冷媒が流入する虞がないかを判定できる。
【００４９】
そして、圧縮機液冷媒流入判定手段が、より正確に圧縮機に液冷媒が流入する虞がないかを判定できれば、実際には、圧縮機に液冷媒が流入するまで充分余裕があるにもかかわらず庫内熱交換器冷却能力判定手段による判定がある前に圧縮機液冷媒流入判定手段が圧縮機に液冷媒が流入する虞があると判定してしまって、庫内ファンの回転数が通常の庫内ファン運転時の回転数に高まり、庫内熱交換器を通過する空気の流れが早くなって、庫内熱交換器での熱交換不足により庫内ファンの回転数を上げる前よりも温度が少し高くなった空気が庫内に送風されて庫内の冷却が遅れる可能性を低減できる。
【００５０】
第６の発明は、特に第１から第５の発明において、前記運転制御手段が、前記節電運転終了後の前記庫内ファンの回転数を段階的に増加させることを特徴とする。
【００５１】
一般に、節電運転による圧縮機の長時間停止後の圧縮機の運転開始直後からしばらくの間は、庫内熱交換器に液冷媒が供給されず、時間の経過にしたがって徐々に庫内熱交換器への液冷媒の供給量が増加していき、庫内熱交換器への液冷媒の供給量に比例するように庫内熱交換器による冷却能力が高まっていく。
【００５２】
そのため、節電運転終了後の庫内ファンの回転数を段階的に増加させることにより、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにする効果を、より高めることができる。
る。
【００５３】
第７の発明は、特に第１から第６の発明において、前記運転制御手段が、前記節電運転終了後の前記庫内ファンの運転開始を前記圧縮機の運転開始よりも前記所定時間よりも短い所定の遅延時間だけ遅らせることを特徴とする。
【００５４】
一般に、節電運転による圧縮機の長時間停止後の圧縮機の運転開始直後からしばらくの間は、庫内熱交換器に液冷媒が供給されず、時間の経過にしたがって徐々に庫内熱交換器への液冷媒の供給量が増加していき、庫内熱交換器への液冷媒の供給量に比例するように
庫内熱交換器による冷却能力が高まっていく。
【００５５】
そのため、圧縮機の運転開始直後の庫内熱交換器に液冷媒がほとんど供給されていないうちは、庫内ファンを停止させていても、庫内熱交換器において蒸発しきらない液冷媒が圧縮機に戻って圧縮機の寿命を縮める虞はない。
【００５６】
また、節電運転終了後の庫内ファンの運転開始を圧縮機の運転開始よりも所定時間よりも短い所定の遅延時間だけ遅らせると、節電運転終了直後の庫内熱交換器で冷却されていない空気流で庫内の物品を暖めてしまうこともなく、圧縮機の運転開始に同期して庫内ファンの運転を開始した場合に比べて、庫内熱交換器の温度を早く下げることができる。
【００５７】
また、圧縮機よりも所定の遅延時間だけ遅れて運転を開始した庫内ファンは、圧縮機が運転を開始してから所定時間経過するまでは通常の庫内ファン運転時の回転数よりも低く抑えるので、節電運転終了後の庫内ファンの回転数を段階的に増加させる第６の発明と同様の効果も有する。
【００５８】
したがって、遅延時間を適切に設定することにより、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにする効果を、第６の発明よりも高めることができる。
【００５９】
第８の発明は、特に第１から第７の発明において、庫内が複数有り、複数の前記庫内のそれぞれに前記庫内熱交換器と前記庫内ファンを有することを特徴とするものであり、庫内が複数有り、複数の前記庫内のそれぞれに前記庫内熱交換器と前記庫内ファンを有する場合でも、複数の庫内のそれぞれを考慮して、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにすることができる。
【００６０】
第９の発明は、第１から第８の発明の物品冷却装置を備えた自動販売機であり、節電運転による圧縮機の長時間停止後に、庫内ファンの運転で庫内の販売商品を暖めてしまう不具合の発生を抑えながら、庫内熱交換器において蒸発しきらない液冷媒が圧縮機に戻って圧縮機の寿命を縮めないようにすることができ、特に節電運転を行う飲料自動販売機で実用的である。
【００６１】
以下、本発明の物品冷却装置とそれを備えた自動販売機の実施の形態について、図面を参照しながら説明する。なお、この実施の形態によって、本発明が限定されるものではない。
【００６２】
（実施の形態１）
図１は本発明の実施の形態１における物品冷却装置を備えた自動販売機の本体内部構造を示す概略構成図、図２は同実施の形態の自動販売機の冷凍サイクルの構成図、図３は同実施の形態の自動販売機の制御系を示すブロック図、図４は同実施の形態の自動販売機の節電運転後の圧縮機の運転状態と各庫内ファンの回転数の関係を示すタイムチャート、図５は同実施の形態の自動販売機の運転制御手段による節電運転終了を検知してからの制御を示すフローチャートである。
【００６３】
図１に示すように、本発明の実施の形態１における物品冷却装置を備えた自動販売機２１は、断熱壁２２により左右に区画された左庫内Ａ、中庫内Ｂ、右庫内Ｃを備え、それぞれに販売する商品を収納する商品収納コラム２３Ａ，２３Ｂ，２３Ｃを有し、各商品収納
コラム２３Ａ，２３Ｂ，２３Ｃ内には、それぞれコラム内の温度（庫内温度）を測定する庫内コラム内温度センサ４１Ａ，４１Ｂ，４１Ｃを有する。
【００６４】
また、自動販売機２１は、自動販売機２１の周囲温度を検出するための外気温度センサ１００と、自動販売機全体を制御するためのコントローラ２７、圧縮機等の冷却装置及び商品排出機構等が内蔵された機構部２６を備えている。
【００６５】
図２に示すように、左庫内Ａに対しては、左庫内Ａの空気を冷却または加温する庫内熱交換器５１Ａ、左庫内Ａの空気を循環させる庫内ファン６１Ａ、左庫内Ａをヒートポンプ運転以外で加温するヒータ６２Ａ、冷凍サイクルの液冷媒を絞り膨張させるキャピラリチューブ９３Ａ、庫内熱交換器５１Ａが冷却時に蒸発器となりヒートポンプ運転での加温時に凝縮器となるように冷凍サイクルの冷媒流路を切替える四方弁９２、左庫内Ａ用の冷凍サイクルのインバータ圧縮機７１Ａ、庫内熱交換器５１Ａの温度を検出する庫内熱交換器温度センサ１０１Ａ、庫内熱交換器５１Ａの冷媒流出部の温度を検出する庫内熱交換器冷媒流出部温度センサ１０９Ａ、インバータ圧縮機７１Ａの吸込み管の温度を検出する圧縮機吸込み管温度センサ１１０Ａが設けられている。
【００６６】
また、中庫内Ｂに対しては、中庫内Ｂの空気を冷却する庫内熱交換器５１Ｂ、中庫内Ｂの空気を循環させる庫内ファン６１Ｂ、中庫内Ｂを加温するヒータ６２Ｂ、冷凍サイクルの液冷媒を絞り膨張させるキャピラリチューブ９３Ｂ、キャピラリチューブ９３Ｂを介して庫内熱交換器５１Ｂに冷媒を流す流さないを切替えるための三方弁９４、中庫内Ｂと右庫内Ｃの兼用の冷凍サイクルの一定速圧縮機７１Ｂ及び一定速圧縮機７１Ｂの吸込み管の温度を検出する圧縮機吸込み管温度センサ１１０Ｂ、庫内熱交換器５１Ｂの温度を検出する庫内熱交換器温度センサ１０１Ｂが設けられている。
【００６７】
また、右庫内Ｃに対しては、右庫内Ｃの空気を冷却する庫内熱交換器５１Ｃ、右庫内Ｃの空気を循環させる庫内ファン６１Ｃ、三方弁９４から庫内熱交換器５１Ｂを経由せずに庫内熱交換器５１Ｃに流れる液冷媒を絞り膨張させるキャピラリチューブ９３Ｃ、中庫内Ｂと右庫内Ｃの兼用の冷凍サイクルの一定速圧縮機７１Ｂ及び一定速圧縮機７１Ｂの吸込み管の温度を検出する圧縮機吸込み管温度センサ１１０Ｂ、庫内熱交換器５１Ｃの温度を検出する庫内熱交換器温度センサ１０１Ｃ、庫内熱交換器５１Ｃの冷媒流出部の温度を検出する庫内熱交換器冷媒流出部温度センサ１０９Ｂが設けられている。
【００６８】
また、機構部２６（庫外の機械室）には、インバータ圧縮機７１Ａと一定速圧縮機７１Ｂの他に、庫外熱交換器８１と、庫外熱交換器８１に送風する庫外ファン８２が設けられている。なお、庫外熱交換器８１は、インバータ圧縮機７１Ａを有する左庫内Ａ用の冷凍サイクルの庫外熱交換器と、一定速圧縮機７１Ｂを有する中庫内Ｂと右庫内Ｃの兼用の冷凍サイクルの庫外熱交換器とが一体に構成されたものである。
【００６９】
なお、左庫内Ａ用の冷凍サイクルは、インバータ圧縮機７１Ａと四方弁９２と庫外熱交換器８１とキャピラリチューブ９３Ａと庫内熱交換器５１Ａとが環状に連接された構成である。
【００７０】
そして、左庫内Ａを冷却する場合は、インバータ圧縮機７１Ａから吐出された高温高圧の冷媒が、四方弁９２を経由して、庫外熱交換器８１で凝縮し、キャピラリチューブ９３Ａで減圧され、庫内熱交換器５１Ａで蒸発し、再び四方弁９２を経由してインバータ圧縮機７１Ａに戻る。
【００７１】
また、左庫内Ａをヒートポンプ運転で加温する場合は、インバータ圧縮機７１Ａから吐出された高温高圧の冷媒が、四方弁９２を経由して、庫内熱交換器５１Ａで凝縮し、キャ
ピラリチューブ９３Ａで減圧され、庫外熱交換器８１で蒸発し、再び四方弁９２を経由してインバータ圧縮機７１Ａに戻る。
【００７２】
また、中庫内Ｂと右庫内Ｃの兼用の冷凍サイクルは、一定速圧縮機７１Ｂと庫外熱交換器８１と三方弁９４とキャピラリチューブ９３Ｃと庫内熱交換器５１Ｃとが順次環状に連接され、さらに、庫内熱交換器５１Ｂの冷媒の入口側がキャピラリチューブ９３Ｂを介して三方弁９４のもう一つの出口側に接続され、庫内熱交換器５１Ｂの冷媒の出口側がキャピラリチューブ９３Ｃと庫内熱交換器５１Ｃとの間の冷媒配管に接続された構成である。
【００７３】
そして、中庫内Ｂと右庫内Ｃを同時に冷却する場合は、一定速圧縮機７１Ｂから吐出された高温高圧の冷媒が、庫外熱交換器８１で凝縮し、三方弁９４からキャピラリチューブ９３Ｂ側に流れて、キャピラリチューブ９３Ｂで減圧され、庫内熱交換器５１Ｂで一部の冷媒が蒸発し、その後、庫内熱交換器５１Ｃで残りの液冷媒が蒸発して、一定速圧縮機７１Ｂに戻る。
【００７４】
また、中庫内Ｂと右庫内Ｃのうち右庫内Ｃのみを冷却する場合は、一定速圧縮機７１Ｂから吐出された高温高圧の冷媒が、庫外熱交換器８１で凝縮し、三方弁９４からキャピラリチューブ９３Ｃ側に流れて、キャピラリチューブ９３Ｃで減圧され、庫内熱交換器５１Ｃで蒸発して、一定速圧縮機７１Ｂに戻る。
【００７５】
図３に示すように、本実施の形態の自動販売機２１を制御するコントローラ２７の主制御手段２００は、入力処理部１０２、運転制御手段１０３、庫内ファン回転数設定手段１０４、節電運転終了検知手段１０５、庫内熱交換器冷却能力判定手段１０６、圧縮機液冷媒流入判定手段１０７により構成されている。
【００７６】
入力処理部１０２は、各庫内コラム内温度センサ４１Ａ，４１Ｂ，４１Ｃ、外気温度センサ１００、各庫内熱交換器温度センサ１０１Ａ，１０１Ｂ，１０１Ｃ、各庫内熱交換器冷媒流出部温度センサ１０９Ａ，１０９Ｂ，１０９Ｃ、各圧縮機吸込み管温度センサ１１０Ａ，１１０Ｂの温度データを読み取る。
【００７７】
運転制御手段１０３は、インバータ圧縮機７１Ａ、一定速圧縮機７１Ｂ、各庫内ファン６１Ａ，６１Ｂ，６１Ｃの運転を制御する。
【００７８】
庫内ファン回転数設定手段１０４は、節電運転終了によりインバータ圧縮機７１Ａまたは一定速圧縮機７１Ｂの運転を開始してから各庫内ファン６１Ａ，６１Ｂ，６１Ｃの通常運転に入るまでの各庫内ファン６１Ａ，６１Ｂ，６１Ｃの回転数を、庫内コラム内温度センサ４１Ａ，４１Ｂ，４１Ｃにより検出した庫内温度に応じて、庫内温度が低いほど通常より小さく（低く）設定する。
【００７９】
節電運転終了検知手段１０５は、節電運転（例えば夏場のピークカット）中に所定の時刻（予め設定された節電運転終了時刻、例えば午後４時）に到達するか、または各庫内コラム内温度センサ４１Ａ，４１Ｂ，４１Ｃが検出したコラム内の温度（庫内温度）が所定の温度（例えば商品の価値に影響が出てくる、通常の商品販売時の温度より高い温度）に到達する等の節電運転を強制的に終了させる条件を満たしたことにより、節電運転が終了することを検知する。
【００８０】
庫内熱交換器冷却能力判定手段１０６は、節電運転終了により圧縮機（インバータ圧縮機７１Ａ，一定速圧縮機７１Ｂ）が運転を開始してから、庫内熱交換器５１Ａ，５１Ｂ，５１Ｃが所定の冷却能力を有しているか否かを判定する。
【００８１】
詳しくは、節電運転終了によりインバータ圧縮機７１Ａが運転を開始してから、庫内熱交換器温度検出手段としての庫内熱交換器温度センサ１０１Ａが検出した庫内熱交換器５１Ａの温度が所定温度以下になった場合に、庫内熱交換器５１Ａが所定の冷却能力を有していると判定する。
【００８２】
また、節電運転終了により一定速圧縮機７１Ｂが運転を開始してから、庫内熱交換器温度検出手段としての庫内熱交換器温度センサ１０１Ｂが検出した庫内熱交換器５１Ｂの温度が所定温度以下になった場合に、庫内熱交換器５１Ｂが所定の冷却能力を有していると判定する。
【００８３】
また、節電運転終了により一定速圧縮機７１Ｂが運転を開始してから、庫内熱交換器温度検出手段としての庫内熱交換器温度センサ１０１Ｃが検出した庫内熱交換器５１Ｃの温度が所定温度以下になった場合に、庫内熱交換器５１Ｃが所定の冷却能力を有していると判定する。
【００８４】
圧縮機液冷媒流入判定手段１０７は、節電運転終了により圧縮機（インバータ圧縮機７１Ａ，一定速圧縮機７１Ｂ）が運転を開始してから、圧縮機（インバータ圧縮機７１Ａ，一定速圧縮機７１Ｂ）に液冷媒が流入する虞があるか否かを判定する。
【００８５】
詳しくは、節電運転終了によりインバータ圧縮機７１Ａが運転を開始してから、庫内熱交換器冷媒流出部温度検出手段としての庫内熱交換器冷媒流出部温度センサ１０９Ａが検出した庫内熱交換器５１Ａの冷媒流出部の温度もしくは圧縮機吸込み管温度検出手段としての圧縮機吸込み管温度センサ１１０Ａが検出したインバータ圧縮機７１Ａの冷媒の吸込み管の温度が所定温度以下になった場合にインバータ圧縮機７１Ａに液冷媒が流入する虞があると判定する。
【００８６】
また、節電運転終了によりインバータ圧縮機７１Ａが運転を開始してから、庫内熱交換器冷媒流出部温度検出手段としての庫内熱交換器冷媒流出部温度センサ１０９Ｂが検出した庫内熱交換器５１Ｃの冷媒流出部の温度もしくは圧縮機吸込み管温度検出手段としての圧縮機吸込み管温度センサ１１０Ｂが検出した一定速圧縮機７１Ｂの冷媒の吸込み管の温度が所定温度以下になった場合に一定速圧縮機７１Ｂに液冷媒が流入する虞があると判定する。
【００８７】
本実施の形態の物品冷却装置を備えた自動販売機は、圧縮機（インバータ圧縮機７１Ａ，一定速圧縮機７１Ｂ）と共に冷凍サイクルを構成し冷却運転時に蒸発器として働き庫内（左庫内Ａ、中庫内Ｂ、右庫内Ｃ）の空気を冷却する庫内熱交換器５１Ａ，５１Ｂ，５１Ｃと、庫内熱交換器５１Ａ，５１Ｂ，５１Ｃにより冷却された空気が庫内（左庫内Ａ、中庫内Ｂ、右庫内Ｃ）を循環するように送風する回転数可変の庫内ファン６１Ａ，６１Ｂ，６１Ｃと、庫内熱交換器５１Ａ，５１Ｂ，５１Ｃが所定の冷却能力を有しているか否かを判定する庫内熱交換器冷却能力判定手段１０６と、圧縮機（インバータ圧縮機７１Ａ，一定速圧縮機７１Ｂ）に液冷媒が流入する虞があるか否かを判定する圧縮機液冷媒流入判定手段１０７と、圧縮機（インバータ圧縮機７１Ａ，一定速圧縮機７１Ｂ）と庫内ファン６１Ａ，６１Ｂ，６１Ｃの運転を制御する運転制御手段１０３とを有している。
【００８８】
そして、運転制御手段１０３は、節電運転中は圧縮機（インバータ圧縮機７１Ａ，一定速圧縮機７１Ｂ）と庫内ファン６１Ａ，６１Ｂ，６１Ｃの運転を停止し、節電運転が終了すると圧縮機（インバータ圧縮機７１Ａ，一定速圧縮機７１Ｂ）の運転を開始し、庫内ファン６１Ａ，６１Ｂ，６１Ｃに対しては、節電運転終了により圧縮機（インバータ圧縮機７１Ａ，一定速圧縮機７１Ｂ）が運転を開始してから、庫内熱交換器５１Ａ，５１Ｂ，５１Ｃが所定の冷却能力を有していることの庫内熱交換器冷却能力判定手段１０６による判
定と圧縮機（インバータ圧縮機７１Ａ，一定速圧縮機７１Ｂ）に液冷媒が流入する虞があることの圧縮機液冷媒流入判定手段１０７による判定のどちらか早い方の判定があるまでの間は、庫内ファン６１Ａ，６１Ｂ，６１Ｃの回転数を通常の庫内ファン運転時の回転数よりも低く抑えるのである。
【００８９】
また、本実施の形態では、庫内熱交換器冷却能力判定手段１０６が、庫内熱交換器温度センサ１０１Ａが検出した庫内熱交換器５１Ａの温度が所定温度以下になった場合に庫内熱交換器５１Ａが所定の冷却能力を有していると判定し、庫内熱交換器温度センサ１０１Ｂが検出した庫内熱交換器５１Ｂの温度が所定温度以下になった場合に庫内熱交換器５１Ｂが所定の冷却能力を有していると判定し、庫内熱交換器温度センサ１０１Ｃが検出した庫内熱交換器５１Ｃの温度が所定温度以下になった場合に庫内熱交換器５１Ｃが所定の冷却能力を有していると判定するのである。
【００９０】
また、本実施の形態では、圧縮機液冷媒流入判定手段１０７が、庫内熱交換器冷媒流出部温度センサ１０９Ａが検出した庫内熱交換器５１Ａの冷媒流出部の温度もしくは圧縮機吸込み管温度センサ１１０Ａが検出したインバータ圧縮機７１Ａの冷媒の吸込み管の温度が所定温度以下になった場合にインバータ圧縮機７１Ａに液冷媒が流入する虞があると判定し、庫内熱交換器冷媒流出部温度センサ１０９Ｂが検出した庫内熱交換器５１Ｃの冷媒流出部の温度もしくは圧縮機吸込み管温度センサ１１０Ｂが検出した一定速圧縮機７１Ｂの冷媒の吸込み管の温度が所定温度以下になった場合に一定速圧縮機７１Ｂに液冷媒が流入する虞があると判定するのである。
【００９１】
以上のように構成された本実施の形態の自動販売機２１について、図４、図５を参照しながら、以下その動作、作用を説明する。
【００９２】
図４に示すように、節電運転中は、運転制御手段１０３は、冷却運転を行わず、インバータ圧縮機７１Ａ、一定速圧縮機７１Ｂ、各庫内ファン６１Ａ，６１Ｂ，６１Ｃを停止させている。
【００９３】
そして、節電運転終了検知手段１０５が節電運転終了を検知（ピークカットの場合、所定の時刻（予め設定された節電運転終了時刻）に到達するか、庫内温度が所定の温度に到達する等の節電運転を強制的に終了させる条件を満たしたことを検知）すれば（図５のＳＴＥＰ１）、運転制御手段１０３は、インバータ圧縮機７１Ａと一定速圧縮機７１Ｂの運転を開始し、入力処理部１０２が、庫内温度である各庫内コラム内温度センサ４１Ａ，４１Ｂ，４１Ｃの温度を確認（検出）する（図５のＳＴＥＰ２）。
【００９４】
庫内温度が、左庫内Ａ、中庫内Ｂ、右庫内Ｃの順に高い場合、庫内ファン回転数設定手段１０４は、庫内ファン６１Ａ、庫内ファン６１Ｂ、庫内ファン６１Ｃの順に回転数を低く設定する。
【００９５】
図４の例では、最も庫内温度が高い庫内ファン６１Ａについては、間欠率７５％となる通常よりも低く設定される。
【００９６】
また、２番目に庫内温度が高い庫内ファン６１Ｂについては、間欠率６０％となる通常よりも低く設定される。
【００９７】
また、最も庫内温度が低い庫内ファン６１Ｃについては、間欠率５０％となる通常よりも低く設定される。
【００９８】
そして、運転制御手段１０３は、節電運転終了による圧縮機（インバータ圧縮機７１Ａ
、一定速圧縮機７１Ｂ）の運転開始から各庫内ファン６１Ａ，６１Ｂ，６１Ｃの通常運転に入るまでの間、通常運転時よりも低く設定された回転数で各庫内ファン６１Ａ，６１Ｂ，６１Ｃを運転する（図５のＳＴＥＰ３）。
【００９９】
そして、庫内熱交換器温度センサ１０１Ａが検出する庫内熱交換器５１Ａの温度が所定温度以下（例えば５℃以下）になれば、図５のＳＴＥＰ４をＹｅｓ側に分岐して、庫内熱交換器冷却能力判定手段１０６は、庫内熱交換器５１Ａが所定の冷却能力を有していると判定して、運転制御手段１０３は、庫内ファン６１Ａを通常の回転数で運転する（図５のＳＴＥＰ６）。
【０１００】
同様に、庫内熱交換器温度センサ１０１Ｂが検出する庫内熱交換器５１Ｂの温度が所定温度以下（例えば５℃以下）になれば、図５のＳＴＥＰ４をＹｅｓ側に分岐して、庫内熱交換器冷却能力判定手段１０６は、庫内熱交換器５１Ｂが所定の冷却能力を有していると判定して、運転制御手段１０３は、庫内ファン６１Ｂを通常の回転数で運転する（図５のＳＴＥＰ６）。
【０１０１】
同様に、庫内熱交換器温度センサ１０１Ｃが検出する庫内熱交換器５１Ｃの温度が所定温度以下（例えば５℃以下）になれば、図５のＳＴＥＰ４をＹｅｓ側に分岐して、庫内熱交換器冷却能力判定手段１０６は、庫内熱交換器５１Ｃが所定の冷却能力を有していると判定して、運転制御手段１０３は、庫内ファン６１Ｃを通常の回転数で運転する（図５のＳＴＥＰ６）。
【０１０２】
なお、庫内熱交換器温度センサ１０１Ａが検出する庫内熱交換器５１Ａの温度が所定温度以下（例えば５℃以下）に到達していなくても（図５のＳＴＥＰ４をＮｏ側に分岐する場合でも）、圧縮機液冷媒流入判定手段１０７が、庫内熱交換器冷媒流出部温度センサ１０９Ａが検出する庫内熱交換器５１Ａの冷媒流出部の温度または圧縮機吸込み管温度センサ１１０Ａが検出したインバータ圧縮機７１Ａの冷媒の吸込み管の温度を基に、インバータ圧縮機７１Ａに液冷媒が流入する虞があると判定すれば、図５のＳＴＥＰ５をＹｅｓ側に分岐して、運転制御手段１０３は、庫内ファン６１Ａを通常の回転数で運転する（図５のＳＴＥＰ６）。
【０１０３】
また、庫内熱交換器温度センサ１０１Ｂが検出する庫内熱交換器５１Ｂの温度が所定温度以下（例えば５℃以下）に到達していなくても（図５のＳＴＥＰ４をＮｏ側に分岐する場合でも）、圧縮機液冷媒流入判定手段１０７が、庫内熱交換器冷媒流出部温度センサ１０９Ｂが検出する庫内熱交換器５１Ｃの冷媒流出部の温度または圧縮機吸込み管温度センサ１１０Ｂが検出した一定速圧縮機７１Ｂの冷媒の吸込み管の温度を基に、一定速圧縮機７１Ｂに液冷媒が流入する虞があると判定すれば、図５のＳＴＥＰ５をＹｅｓ側に分岐して、運転制御手段１０３は、庫内ファン６１Ｂを通常の回転数で運転する（図５のＳＴＥＰ６）。
【０１０４】
同様に、庫内熱交換器温度センサ１０１Ｃが検出する庫内熱交換器５１Ｃの温度が所定温度以下（例えば５℃以下）に到達していなくても（図５のＳＴＥＰ４をＮｏ側に分岐する場合でも）、圧縮機液冷媒流入判定手段１０７が、庫内熱交換器冷媒流出部温度センサ１０９Ｂが検出する庫内熱交換器５１Ｃの冷媒流出部の温度または圧縮機吸込み管温度センサ１１０Ｂが検出した一定速圧縮機７１Ｂの冷媒の吸込み管の温度を基に、一定速圧縮機７１Ｂに液冷媒が流入する虞があると判定すれば、図５のＳＴＥＰ５をＹｅｓ側に分岐して、運転制御手段１０３は、庫内ファン６１Ｃを通常の回転数で運転する（図５のＳＴＥＰ６）。
【０１０５】
以上のように、本実施の形態においては、節電運転終了検知手段１０５が節電運転終了
を検知すれば、運転制御手段１０３が、インバータ圧縮機７１Ａと一定速圧縮機７１Ｂの運転を開始する。
【０１０６】
また、庫内ファン回転数設定手段１０４が、節電運転終了直後の庫内コラム内温度センサ４１Ａ，４１Ｂ，４１Ｃにより検出した左庫内Ａ、中庫内Ｂ、右庫内Ｃの庫内温度に応じて、節電運転終了による圧縮機（インバータ圧縮機７１Ａ、一定速圧縮機７１Ｂ）の運転開始後の各庫内ファン６１Ａ，６１Ｂ，６１Ｃの回転数を、庫内温度が低いほど通常運転より小さく（低く）設定する。
【０１０７】
そして、運転制御手段１０３が、庫内ファン回転数設定手段１０４により通常運転より小さく（低く）設定された回転数で庫内ファン６１Ａ，６１Ｂ，６１Ｃを運転する。
【０１０８】
そして、庫内熱交換器冷却能力判定手段１０６が、庫内熱交換器温度センサ１０１Ａ，１０１Ｂ，１０１Ｃにより検出した庫内熱交換器５１Ａ，５１Ｂ，５１Ｃの温度が所定温度以下になったことにより庫内熱交換器５１Ａ，５１Ｂ，５１Ｃが所定の冷却能力を有していると判定するか、もしくは、圧縮機液冷媒流入判定手段１０７が、庫内熱交換器冷媒流出部温度センサ１０９Ａ，１０９Ｂが検出する庫内熱交換器５１Ａ，５１Ｃの冷媒流出部の温度または圧縮機吸込み管温度センサ１１０Ａ，１１０Ｂが検出した圧縮機（インバータ圧縮機７１Ａ、一定速圧縮機７１Ｂ）の冷媒の吸込み管の温度が所定温度以下になったことにより圧縮機（インバータ圧縮機７１Ａ、一定速圧縮機７１Ｂ）に液冷媒が流入する虞があると判定すれば、庫内ファン６１Ａ，６１Ｂ，６１Ｃの回転数を通常運転に戻すのである。
【０１０９】
これにより、節電運転が終了してから各庫内ファン６１Ａ，６１Ｂ，６１Ｃの通常運転に入るまでの間、庫内熱交換器５１Ａ，５１Ｂ，５１Ｃで蒸発しきらない液冷媒の量を抑え、液冷媒がインバータ圧縮機７１Ａや一定速圧縮機７１Ｂへ液戻りすることを防止でき、インバータ圧縮機７１Ａや一定速圧縮機７１Ｂの信頼性を確保することができる。
【０１１０】
以上のように本実施の形態の自動販売機２１に用いた物品冷却装置は、圧縮機（インバータ圧縮機７１Ａ，一定速圧縮機７１Ｂ）と共に冷凍サイクルを構成し冷却運転時に蒸発器として働き庫内（左庫内Ａ、中庫内Ｂ、右庫内Ｃ）の空気を冷却する庫内熱交換器５１Ａ，５１Ｂ，５１Ｃと、庫内熱交換器５１Ａ，５１Ｂ，５１Ｃにより冷却された空気が庫内（左庫内Ａ、中庫内Ｂ、右庫内Ｃ）を循環するように送風する回転数可変の庫内ファン６１Ａ，６１Ｂ，６１Ｃと、庫内熱交換器５１Ａ，５１Ｂ，５１Ｃが所定の冷却能力を有しているか否かを判定する庫内熱交換器冷却能力判定手段１０６と、圧縮機（インバータ圧縮機７１Ａ，一定速圧縮機７１Ｂ）に液冷媒が流入する虞があるか否かを判定する圧縮機液冷媒流入判定手段１０７と、圧縮機（インバータ圧縮機７１Ａ，一定速圧縮機７１Ｂ）と庫内ファン６１Ａ，６１Ｂ，６１Ｃの運転を制御する運転制御手段１０３とを有している。
【０１１１】
そして、運転制御手段１０３は、節電運転中は圧縮機（インバータ圧縮機７１Ａ，一定速圧縮機７１Ｂ）と庫内ファン６１Ａ，６１Ｂ，６１Ｃの運転を停止し、節電運転が終了すると圧縮機（インバータ圧縮機７１Ａ，一定速圧縮機７１Ｂ）の運転を開始する。
【０１１２】
そして、運転制御手段１０３は、庫内ファン６１Ａに対しては、節電運転終了によりインバータ圧縮機７１Ａが運転を開始してから、庫内熱交換器５１Ａが所定の冷却能力を有していることの庫内熱交換器冷却能力判定手段１０６による判定とインバータ圧縮機７１Ａに液冷媒が流入する虞があることの圧縮機液冷媒流入判定手段１０７による判定のどちらか早い方の判定があるまでの間は、庫内ファン６１Ａの回転数を通常の庫内ファン運転時の回転数よりも低く抑え、庫内熱交換器５１Ａが所定の冷却能力を有していることの庫
内熱交換器冷却能力判定手段１０６による判定とインバータ圧縮機７１Ａに液冷媒が流入する虞があることの圧縮機液冷媒流入判定手段１０７による判定のどちらか早い方の判定があれば、それまで低く抑えていた庫内ファン６１Ａの回転数を通常の庫内ファン運転時の回転数に上げるのである。
【０１１３】
また、庫内ファン６１Ｂに対しては、節電運転終了により一定速圧縮機７１Ｂが運転を開始してから、庫内熱交換器５１Ｂ（場合によっては庫内熱交換器５１Ｃ）が所定の冷却能力を有していることの庫内熱交換器冷却能力判定手段１０６による判定と一定速圧縮機７１Ｂに液冷媒が流入する虞があることの圧縮機液冷媒流入判定手段１０７による判定のどちらか早い方の判定があるまでの間は、庫内ファン６１Ｂの回転数を通常の庫内ファン運転時の回転数よりも低く抑え、庫内熱交換器５１Ｂ（場合によっては庫内熱交換器５１Ｃ）が所定の冷却能力を有していることの庫内熱交換器冷却能力判定手段１０６による判定と一定速圧縮機７１Ｂに液冷媒が流入する虞があることの圧縮機液冷媒流入判定手段１０７による判定のどちらか早い方の判定があれば、それまで低く抑えていた庫内ファン６１Ｂの回転数を通常の庫内ファン運転時の回転数に上げるのである。
【０１１４】
また、庫内ファン６１Ｃに対しては、節電運転終了により一定速圧縮機７１Ｂが運転を開始してから、庫内熱交換器５１Ｃが所定の冷却能力を有していることの庫内熱交換器冷却能力判定手段１０６による判定と一定速圧縮機７１Ｂに液冷媒が流入する虞があることの圧縮機液冷媒流入判定手段１０７による判定のどちらか早い方の判定があるまでの間は、庫内ファン６１Ｃの回転数を通常の庫内ファン運転時の回転数よりも低く抑え、庫内熱交換器５１Ｃが所定の冷却能力を有していることの庫内熱交換器冷却能力判定手段１０６による判定と一定速圧縮機７１Ｂに液冷媒が流入する虞があることの圧縮機液冷媒流入判定手段１０７による判定のどちらか早い方の判定があれば、それまで低く抑えていた庫内ファン６１Ｃの回転数を通常の庫内ファン運転時の回転数に上げるのである。
【０１１５】
上記構成の物品冷却装置は、各庫内ファン６１Ａ，６１Ｂ，６１Ｃに回転数可変の庫内ファン６１Ａ，６１Ｂ，６１Ｃを用いており、節電運転終了により圧縮機（インバータ圧縮機７１Ａ、一定速圧縮機７１Ｂ）が運転を開始してから、庫内熱交換器５１Ａ，５１Ｂ，５１Ｃが所定の冷却能力を有していることの庫内熱交換器冷却能力判定手段１０６による判定と圧縮機（インバータ圧縮機７１Ａ，一定速圧縮機７１Ｂ）に液冷媒が流入する虞があることの圧縮機液冷媒流入判定手段１０７による判定のどちらか早い方の判定があるまでの間は、運転制御手段１０３が各庫内ファン６１Ａ，６１Ｂ，６１Ｃの回転数を通常の庫内ファン６１Ａ，６１Ｂ，６１Ｃ運転時の回転数よりも低く抑える。
【０１１６】
そのため、節電運転終了により、圧縮機（インバータ圧縮機７１Ａ、一定速圧縮機７１Ｂ）の運転開始に同期して各庫内ファン６１Ａ，６１Ｂ，６１Ｃが通常運転時の回転数で運転開始する場合に比べて、圧縮機（インバータ圧縮機７１Ａ、一定速圧縮機７１Ｂ）が運転を開始してから所定条件を満たすまでの間は、各庫内ファン６１Ａ，６１Ｂ，６１Ｃの回転数を低く抑えている分、庫内熱交換器５１Ａ，５１Ｂ，５１Ｃにより充分に冷却されずに庫内（左庫内Ａ、中庫内Ｂ、右庫内Ｃ）に送風される空気の量は少なくなる。
【０１１７】
さらに、庫内熱交換器５１Ａ，５１Ｂ，５１Ｃを通過する空気の流れが遅いことにより庫内熱交換器５１Ａ，５１Ｂ，５１Ｃを通過する空気が庫内熱交換器５１Ａ，５１Ｂ，５１Ｃで熱交換する時間が長くなって、庫内熱交換器５１Ａ，５１Ｂ，５１Ｃを通過する空気が庫内熱交換器５１Ａ，５１Ｂ，５１Ｃにより冷却されやすくなる。
【０１１８】
ゆえに、各庫内ファン６１Ａ，６１Ｂ，６１Ｃの運転で庫内熱交換器５１Ａ，５１Ｂ，５１Ｃにより冷却されていない空気が庫内（左庫内Ａ、中庫内Ｂ、右庫内Ｃ）に送風されて、庫内（左庫内Ａ、中庫内Ｂ、右庫内Ｃ）の物品（商品）を暖めてしまう不具合の発生
を抑えることができる。
【０１１９】
そして、圧縮機（インバータ圧縮機７１Ａ、一定速圧縮機７１Ｂ）に液冷媒が流入する虞があると圧縮機液冷媒流入判定手段１０７が判定する前でも、庫内熱交換器５１Ａ，５１Ｂ，５１Ｃが所定の冷却能力を有していると庫内熱交換器冷却能力判定手段１０６が判定すれば、運転制御手段１０３が庫内ファン６１Ａ，６１Ｂ，６１Ｃの回転数を通常運転時の回転数に高めるので、庫内熱交換器５１Ａ，５１Ｂ，５１Ｃの冷却能力が所定の冷却能力に高まっているにもかかわらず、通常の庫内ファン運転時の回転数よりも低く抑えた回転数で庫内ファン６１Ａ，６１Ｂ，６１Ｃが運転されることにより、庫内（左庫内Ａ、中庫内Ｂ、右庫内Ｃ）の冷却が遅れる不具合を抑制できる。
【０１２０】
また、各庫内ファン６１Ａ，６１Ｂ，６１Ｃを通常運転時の回転数で運転する前に、回転数を低く抑えながらも各庫内ファン６１Ａ，６１Ｂ，６１Ｃを運転するので、圧縮機（インバータ圧縮機７１Ａ、一定速圧縮機７１Ｂ）の運転開始により徐々に庫内熱交換器５１Ａ，５１Ｂ，５１Ｃへの供給量が増加していく液冷媒は庫内熱交換器５１Ａ，５１Ｂ，５１Ｃを介して庫内熱交換器５１Ａ，５１Ｂ，５１Ｃの周囲の空気と熱交換できる。
【０１２１】
そして、圧縮機（インバータ圧縮機７１Ａ、一定速圧縮機７１Ｂ）が運転を開始してから、しばらく経ち庫内熱交換器５１Ａ，５１Ｂ，５１Ｃに充分な量の液冷媒が供給される頃（庫内熱交換器５１Ａ，５１Ｂ，５１Ｃの冷却能力が充分な冷却能力に高まる頃）には、運転制御手段１０３が各庫内ファン６１Ａ，６１Ｂ，６１Ｃを通常運転時の回転数で運転しているので、充分な供給量になった液冷媒も庫内熱交換器５１Ａ，５１Ｂ，５１Ｃを介して庫内熱交換器５１Ａ，５１Ｂ，５１Ｃの周囲の空気と熱交換できることになる。
【０１２２】
また、庫内熱交換器５１Ａ，５１Ｂ，５１Ｃが所定の冷却能力を有していると庫内熱交換器冷却能力判定手段１０６が判定する前でも、圧縮機（インバータ圧縮機７１Ａ、一定速圧縮機７１Ｂ）に液冷媒が流入する虞があると圧縮機液冷媒流入判定手段１０７が判定すれば、運転制御手段１０３が低く抑えていた庫内ファン６１Ａ，６１Ｂ，６１Ｃの回転数を通常運転時の回転数に高めるので、庫内熱交換器５１Ａ，５１Ｂ，５１Ｃにおける周囲の空気との熱交換量が増加して、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにすることができる。
【０１２３】
また、本実施の形態の自動販売機に用いた物品冷却装置は、庫内温度を検出する庫内温度検出手段（左庫内Ａの庫内温度を検出する庫内コラム内温度センサ４１Ａ、中庫内Ｂの庫内温度を検出する庫内コラム内温度センサ４１Ｂ、右庫内Ｃの庫内温度を検出する庫内コラム内温度センサ４１Ｃ）を有している。
【０１２４】
また、本実施の形態の自動販売機２１に用いた物品冷却装置は、庫内（左庫内Ａ、中庫内Ｂ、右庫内Ｃ）が複数（３つ）有り、左庫内Ａには庫内熱交換器５１Ａと庫内ファン６１Ａ、中庫内Ｂには庫内熱交換器５１Ｂと庫内ファン６１Ｂ、右庫内Ｃには庫内熱交換器５１Ｃと庫内ファン６１Ｃというように、複数（３つ）の庫内（左庫内Ａ、中庫内Ｂ、右庫内Ｃ）のそれぞれに庫内熱交換器５１Ａ，５１Ｂ，５１Ｃと庫内ファン６１Ａ，６１Ｂ，６１Ｃを有する。
【０１２５】
そのため、庫内（左庫内Ａ、中庫内Ｂ、右庫内Ｃ）が複数（３つ）有り、複数（３つ）の庫内（左庫内Ａ、中庫内Ｂ、右庫内Ｃ）のそれぞれに庫内熱交換器５１Ａ，５１Ｂ，５１Ｃと庫内ファン６１Ａ，６１Ｂ，６１Ｃを有する場合でも、複数（３つ）の庫内（左庫内Ａ、中庫内Ｂ、右庫内Ｃ）のそれぞれを考慮して、節電運転による圧縮機（インバータ
圧縮機７１Ａ、一定速圧縮機７１Ｂ）の長時間停止後に、各庫内ファン６１Ａ，６１Ｂ，６１Ｃの運転で庫内（左庫内Ａ、中庫内Ｂ、右庫内Ｃ）の物品（商品）を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにすることができる。
【０１２６】
また、本実施の形態の自動販売機２１に用いた物品冷却装置は、左庫内Ａを冷却するための冷凍サイクルが、インバータ圧縮機７１Ａと四方弁９２と庫外熱交換器８１とキャピラリチューブ９３Ａと庫内熱交換器５１Ａとが環状に連接された構成の左庫内Ａ専用の冷凍サイクルである。
【０１２７】
そのため、予め設定された節電運転終了時刻になる前に、庫内コラム内温度センサ４１Ａが検出した左庫内Ａの温度（庫内温度）が所定の温度（例えば商品の価値に影響が出てくる、通常の商品販売時の温度より高い温度）に到達する等の左庫内Ａ独自の節電運転を強制的に終了させる条件を満たした場合に、そのタイミングで左庫内Ａについては節電運転を終了させて、左庫内Ａの節電運転終了のタイミングを中庫内Ｂまたは右庫内Ｃの節電運転終了のタイミングとずらすことができる。
【０１２８】
また、本実施の形態の自動販売機２１に用いた物品冷却装置は、三方弁９４からキャピラリチューブ９３Ｃを経由して庫内熱交換器５１Ｃに冷媒が流れるようにした場合は、中庫内Ｂと右庫内Ｃのうち右庫内Ｃのみを冷却できる。
【０１２９】
そのため、節電運転終了により一定速圧縮機７１Ｂの運転を開始する時に三方弁９４をそのような冷媒流路になる状態にしておいて、比較的外気温の影響を受けにくい中庫内Ｂの節電運転終了のタイミングを右庫内Ｃの節電運転終了のタイミングより遅らせて、庫内ファン６１Ｂの運転開始が遅れた分の省エネを図ると共に、右庫内Ｃの庫内熱交換器５１Ｃに流れる液冷媒の割合を増やして庫内熱交換器５１Ｃの冷却能力を高めて右庫内Ｃを早く冷却させることができる。
【０１３０】
さらに、三方弁９４に液冷媒が流れるようになってから中庫内Ｂの庫内熱交換器５１Ｂにも冷媒が流れるように三方弁９４を切り替えると、庫内熱交換器５１Ｂに冷媒が流れ始めてから庫内熱交換器５１Ｂが冷媒の蒸発で充分に冷却されるまでの時間を短縮することができる。
【０１３１】
なお、中庫内Ｂの庫内熱交換器５１Ｂにも冷媒が流れるように三方弁９４を切り替えた後は、中庫内Ｂの庫内熱交換器５１Ｂで熱交換された後の冷媒が右庫内Ｃの庫内熱交換器５１Ｃに流れる（中庫内Ｂの庫内熱交換器５１Ｂで蒸発しなかった液冷媒が右庫内Ｃの庫内熱交換器５１Ｃに流れる）ため、庫内熱交換器５１Ｃの冷却能力が低下するので、中庫内Ｂの庫内熱交換器５１Ｂにも冷媒が流れるように三方弁９４を切り替える前に、庫内熱交換器５１Ｃで右庫内Ｃを充分に冷却させておくことが望ましい。
【０１３２】
なお、節電運転終了により一定速圧縮機７１Ｂの運転を開始する時に三方弁９４の切替状態を中庫内Ｂの庫内熱交換器５１Ｂにも冷媒が流れるようにして、中庫内Ｂと右庫内Ｃの両方の冷却を行っても構わないが、庫内熱交換器５１Ｂが庫内熱交換器５１Ｃより先に所定の冷却能力を有していると庫内熱交換器冷却能力判定手段１０６により判定される場合は、庫内熱交換器冷却能力判定手段１０６の判定後に直ちに庫内ファン６１Ｂの回転数を通常運転時の回転数に高めない方が良いことがある。
【０１３３】
庫内熱交換器５１Ｂが庫内熱交換器５１Ｃより先に所定の冷却能力を有していると庫内熱交換器冷却能力判定手段１０６により判定されたことにより、直ちに庫内ファン６１Ｂ
の回転数を通常運転時の回転数に高めると、庫内熱交換器５１Ｂでの熱交換量が増加し、その影響で、庫内熱交換器５１Ｃに流入する液冷媒が減って、庫内熱交換器５１Ｃが所定の冷却能力を有するまでに要する時間が長くなる。
【０１３４】
したがって、庫内熱交換器５１Ｂが庫内熱交換器５１Ｃより先に所定の冷却能力を有していると庫内熱交換器冷却能力判定手段１０６により判定されたが、右庫内Ｃの冷却を遅らせたくない場合は、庫内ファン６１Ｂの回転数を通常運転時の回転数に高めるタイミングを、例えば、庫内熱交換器５１Ｃが所定の冷却能力を有していると庫内熱交換器冷却能力判定手段１０６により判定されるまで、遅らせるようにしても構わない。
【０１３５】
なお、節電運転終了後は所定条件が満たされるまで、運転制御手段１０３が、圧縮機（インバータ圧縮機７１Ａ、一定速圧縮機７１Ｂ）を強制的に運転し、所定条件が満たされた後に、圧縮機（インバータ圧縮機７１Ａ、一定速圧縮機７１Ｂ）を通常の運転に戻すようにしてもよい。
【０１３６】
この場合は、節電運転による圧縮機（インバータ圧縮機７１Ａ、一定速圧縮機７１Ｂ）の長時間停止により温度上昇した庫内（左庫内Ａ、中庫内Ｂ、右庫内Ｃ）及び庫内（左庫内Ａ、中庫内Ｂ、右庫内Ｃ）の物品（商品）を早く冷却することができ、庫内（左庫内Ａ、中庫内Ｂ、右庫内Ｃ）の温度分布が不均一であったり、庫内（左庫内Ａ、中庫内Ｂ、右庫内Ｃ）に比較的冷却されにくい物品（商品）があった場合でも、庫内（左庫内Ａ、中庫内Ｂ、右庫内Ｃ）及び庫内（左庫内Ａ、中庫内Ｂ、右庫内Ｃ）の物品（商品）を早く充分に冷却でき、特に物品が食品（飲料を含む）の場合は、節電運転後の充分な冷却運転で品質を維持することができる。
【０１３７】
なお、節電運転終了後は所定条件が満たされるまで、運転制御手段１０３が、インバータ圧縮機７１Ａを予め設定された回転数で強制的に運転し、所定条件が満たされた後に、通常のインバータ圧縮機７１Ａの運転に戻すようにしてもよい。
【０１３８】
この場合は、一定速圧縮機７１Ｂを強制的に連続運転する場合と同等以上の冷却能力が得られるように、予め設定された回転数を適切に設定することにより、節電運転による圧縮機の長時間停止により温度上昇した左庫内Ａ及び左庫内Ａの物品（商品）を早く冷却することができ、左庫内Ａの温度分布が不均一であったり、左庫内Ａに比較的冷却されにくい物品（商品）があった場合でも、左庫内Ａ及び左庫内Ａの物品（商品）を早く充分に冷却でき、特に物品が食品（飲料を含む）の場合は、節電運転後の充分な冷却運転で品質を維持することができる。
【０１３９】
また、本実施の形態は、物品冷却装置を自動販売機に適用しているが、この場合は、節電運転による圧縮機（インバータ圧縮機７１Ａ、一定速圧縮機７１Ｂ）の長時間停止後に、各庫内ファン６１Ａ，６１Ｂ，６１Ｃの運転で左庫内Ａ、中庫内Ｂ、右庫内Ｃの缶飲料やＰＥＴボトル飲料などの販売商品を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにすることができ、特に節電運転を行う飲料自動販売機で実用的である。
【０１４０】
また、本実施の形態では、庫内熱交換器冷却能力判定手段１０６が、庫内熱交換器温度センサ１０１Ａが検出した庫内熱交換器５１Ａの温度が所定温度以下になった場合に庫内熱交換器５１Ａが所定の冷却能力を有していると判定し、庫内熱交換器温度センサ１０１Ｂが検出した庫内熱交換器５１Ｂの温度が所定温度以下になった場合に庫内熱交換器５１Ｂが所定の冷却能力を有していると判定し、庫内熱交換器温度センサ１０１Ｃが検出した
庫内熱交換器５１Ｃの温度が所定温度以下になった場合に庫内熱交換器５１Ｃが所定の冷却能力を有していると判定するのである。
【０１４１】
庫内熱交換器５１Ａ，５１Ｂ，５１Ｃの冷却能力は庫内熱交換器５１Ａ，５１Ｂ，５１Ｃの温度で推定できるので、庫内熱交換器５１Ａ，５１Ｂ，５１Ｃの温度を検出する庫内熱交換器温度検出手段としての庫内熱交換器温度センサ１０１Ａ，１０１Ｂ，１０１Ｃを設けて、庫内熱交換器温度センサ１０１Ａ，１０１Ｂ，１０１Ｃが検出した庫内熱交換器５１Ａ，５１Ｂ，５１Ｃの温度が所定温度以下（例えば５℃以下）になった場合に庫内熱交換器５１Ａ，５１Ｂ，５１Ｃが所定の冷却能力を有していると判定することができる。
【０１４２】
庫内熱交換器５１Ａ，５１Ｂ，５１Ｃの温度は、冷媒の流入側、流出側、風上側、風下側など、測定する部位によって異なり、庫内熱交換器５１Ａ，５１Ｂ，５１Ｃが、例えば、互いに平行に所定の間隔をあけて多数並べられたフィンと、そのフィンを貫通する冷媒管からなるフィンチューブ型熱交換器である場合は、冷媒管とフィンで温度が異なるため、庫内熱交換器５１Ａ，５１Ｂ，５１Ｃの平均的な温度を検出できる部位に庫内熱交換器温度センサ１０１Ａ，１０１Ｂ，１０１Ｃを取り付けることが望ましい。
【０１４３】
庫内熱交換器５１Ａ，５１Ｂ，５１Ｃに庫内熱交換器温度センサ１０１Ａ，１０１Ｂ，１０１Ｃを取り付けて庫内熱交換器５１Ａ，５１Ｂ，５１Ｃの温度を検出する場合は、庫内熱交換器温度センサ１０１Ａ，１０１Ｂ，１０１Ｃを取り付ける部位による検出温度のバラツキや、庫内熱交換器温度センサ１０１Ａ，１０１Ｂ，１０１Ｃの取り付け方による庫内熱交換器５１Ａ，５１Ｂ，５１Ｃと庫内熱交換器温度センサ１０１Ａ，１０１Ｂ，１０１Ｃとの密着具合または周囲の空気の温度の影響による検出温度のバラツキがある。
【０１４４】
これに対して、庫内熱交換器５１Ａ，５１Ｂ，５１Ｃの周囲の温度を温度センサ等の温度検出手段で検出する場合は、庫内熱交換器５１Ａ，５１Ｂ，５１Ｃに庫内熱交換器温度センサ１０１Ａ，１０１Ｂ，１０１Ｃを取り付けて庫内熱交換器５１Ａ，５１Ｂ，５１Ｃの温度を検出する場合よりも、検出温度のバラツキが小さく、庫内熱交換器５１Ａ，５１Ｂ，５１Ｃにより冷却された空気の温度を検出するため、庫内熱交換器５１Ａ，５１Ｂ，５１Ｃの冷却能力を適切に判定できる可能性がある。
【０１４５】
そのため、庫内熱交換器温度センサ１０１Ａ，１０１Ｂ，１０１Ｃを、庫内熱交換器５１Ａ，５１Ｂ，５１Ｃから離して、庫内熱交換器５１Ａ，５１Ｂ，５１Ｃの周囲の温度を検出する庫内熱交換器周囲温度検出手段として用い、庫内熱交換器冷却能力判定手段１０６が、庫内熱交換器周囲温度検出手段（庫内熱交換器温度センサ１０１Ａ，１０１Ｂ，１０１Ｃ）が検出した庫内熱交換器５１Ａ，５１Ｂ，５１Ｃの周囲の温度が所定温度以下になった場合に庫内熱交換器５１Ａ，５１Ｂ，５１Ｃが所定の冷却能力を有していると判定するようにしても構わない。
【０１４６】
なお、庫内熱交換器５１Ａ，５１Ｂ，５１Ｃの周囲の温度の検出箇所としては、庫内熱交換器５１Ａ，５１Ｂ，５１Ｃの下流側が、庫内熱交換器５１Ａ，５１Ｂ，５１Ｃにより冷却されて庫内（左庫内Ａ、中庫内Ｂ、右庫内Ｃ）に流れる空気の温度に最も近い温度を検出することになるため、庫内熱交換器５１Ａ，５１Ｂ，５１Ｃの冷却能力を判定するための基になる庫内熱交換器５１Ａ，５１Ｂ，５１Ｃの周囲の温度の検出箇所として望ましい。
【０１４７】
また、庫内熱交換器冷却能力判定手段１０６が、庫内コラム内温度センサ４１Ａが検出した左庫内Ａの温度と庫内熱交換器５１Ａの下流側との温度差を基に庫内熱交換器５１Ａが所定の冷却能力を有しているかを判定し、庫内コラム内温度センサ４１Ｂが検出した中庫内Ｂの温度と庫内熱交換器５１Ｂの下流側との温度差を基に庫内熱交換器５１Ｂが所定
の冷却能力を有しているかを判定し、庫内コラム内温度センサ４１Ｃが検出した右庫内Ｃの温度と庫内熱交換器５１Ｃの下流側との温度差を基に庫内熱交換器５１Ｃが所定の冷却能力を有しているかを判定するようにしても構わない。
【０１４８】
また、本実施の形態では、圧縮機液冷媒流入判定手段１０７が、庫内熱交換器冷媒流出部温度センサ１０９Ａが検出した庫内熱交換器５１Ａの冷媒流出部の温度もしくは圧縮機吸込み管温度センサ１１０Ａが検出したインバータ圧縮機７１Ａの冷媒の吸込み管の温度が所定温度以下になった場合にインバータ圧縮機７１Ａに液冷媒が流入する虞があると判定し、庫内熱交換器冷媒流出部温度センサ１０９Ｂが検出した庫内熱交換器５１Ｃの冷媒流出部の温度もしくは圧縮機吸込み管温度センサ１１０Ｂが検出した一定速圧縮機７１Ｂの冷媒の吸込み管の温度が所定温度以下になった場合に一定速圧縮機７１Ｂに液冷媒が流入する虞があると判定するのである。
【０１４９】
一般に、庫内熱交換器５１Ａ，５１Ｂ，５１Ｃ内を流れる冷媒と庫内熱交換器５１Ａ，５１Ｂ，５１Ｃの周囲空気との熱交換量が多くなるほど、庫内熱交換器５１Ａ，５１Ｂ，５１Ｃにおいて液冷媒の気化が進んで、周囲空気との熱交換で液冷媒がなくなると、庫内熱交換器５１Ａ，５１Ｂ，５１Ｃの冷媒流出部の温度が上昇して、庫内熱交換器５１Ａ，５１Ｂ，５１Ｃの冷媒流出部の温度と庫内熱交換器５１Ａ，５１Ｂ，５１Ｃの周囲空気の温度との温度差が小さくなる。
【０１５０】
一方、庫内熱交換器５１Ａ，５１Ｂ，５１Ｃの冷媒流出部から流出する冷媒に液冷媒が含まれていれば、庫内熱交換器５１Ａ，５１Ｂ，５１Ｃの冷媒流出部の温度は、庫内熱交換器５１Ａ，５１Ｂ，５１Ｃの周囲空気の温度よりも低い所定温度以下になる。
【０１５１】
本実施の形態では、庫内熱交換器５１Ｂの冷媒流出部から流出した冷媒は庫内熱交換器５１Ｃに流入するので、庫内熱交換器５１Ｂの冷媒流出部から流出する冷媒に液冷媒が含まれていても、その液冷媒は庫内熱交換器５１Ｃで周囲空気との熱交換により気化する可能性がある。
【０１５２】
したがって、庫内熱交換器５１Ａ，５１Ｃの冷媒流出部の温度を検出する庫内熱交換器冷媒流出部温度検出手段（圧縮機吸込み管温度センサ１１０Ａ，１１０Ｂ）を設けて、圧縮機吸込み管温度センサ１１０Ａが検出した庫内熱交換器５１Ａの冷媒流出部の温度が所定温度以下（例えば−５℃以下）になった場合にインバータ圧縮機７１Ａに液冷媒が流入する虞があると判定することができ、圧縮機吸込み管温度センサ１１０Ｂが検出した庫内熱交換器５１Ｃの冷媒流出部の温度が所定温度以下（例えば−５℃以下）になった場合に一定速圧縮機７１Ｂに液冷媒が流入する虞があると判定することができる。
【０１５３】
また、圧縮機液冷媒流入判定手段１０７が、圧縮機吸込み管温度検出手段（圧縮機吸込み管温度センサ１１０Ａ）が検出したインバータ圧縮機７１Ａの冷媒の吸込み管の温度が所定温度以下になった場合にインバータ圧縮機７１Ａに液冷媒が流入する虞があると判定するようにしても良く、同様に、圧縮機液冷媒流入判定手段１０７が、圧縮機吸込み管温度検出手段（圧縮機吸込み管温度センサ１１０Ｂ）が検出した一定速圧縮機７１Ｂの冷媒の吸込み管の温度が所定温度以下になった場合に一定速圧縮機７１Ｂに液冷媒が流入する虞があると判定するようにしても良い。
【０１５４】
庫内熱交換器５１Ａ，５１Ｃの冷媒流出部から圧縮機（インバータ圧縮機７１Ａ，一定速圧縮機７１Ｂ）の冷媒の吸込み管に流入した冷媒は、吸込み管の周囲空気と熱交換して暖められて圧縮機（インバータ圧縮機７１Ａ，一定速圧縮機７１Ｂ）に流入する。
【０１５５】
一方、圧縮機（インバータ圧縮機７１Ａ，一定速圧縮機７１Ｂ）の冷媒の吸込み管を通
過する冷媒にまだ気化できなかった液冷媒が含まれていれば、圧縮機（インバータ圧縮機７１Ａ，一定速圧縮機７１Ｂ）の冷媒の吸込み管の温度は、所定温度以下になる。
【０１５６】
したがって、圧縮機（インバータ圧縮機７１Ａ，一定速圧縮機７１Ｂ）の冷媒の吸込み管の温度を検出する圧縮機吸込み管温度センサ１１０Ａ，１１０Ｂを設けて、圧縮機吸込み管温度センサ１１０Ａ，１１０Ｂが検出した（インバータ圧縮機７１Ａ，一定速圧縮機７１Ｂ）の冷媒の吸込み管の温度が所定温度以下になった場合に圧縮機（インバータ圧縮機７１Ａ，一定速圧縮機７１Ｂ）に液冷媒が流入する虞があると判定することができる。
【０１５７】
圧縮機吸込み管温度センサ１１０Ａ，１１０Ｂは、庫内熱交換器冷媒流出部温度センサ１０９Ａ，１０９Ｂよりも判定の基になる温度を検出する位置が圧縮機（インバータ圧縮機７１Ａ，一定速圧縮機７１Ｂ）に近いため、より正確に圧縮機（インバータ圧縮機７１Ａ，一定速圧縮機７１Ｂ）に液冷媒が流入する虞がないかを判定できる。
【０１５８】
また、庫内熱交換器５１Ａ，５１Ｃの冷媒流入部の温度を検出する庫内熱交換器冷媒流入部温度センサを設けて、圧縮機液冷媒流入判定手段１０７が、庫内熱交換器５１Ａの冷媒流入部と庫内熱交換器５１Ａの冷媒流出部との温度差または庫内熱交換器５１Ａの冷媒流入部とインバータ圧縮機７１Ａの冷媒の吸込み管との温度差が所定温度以下の場合にインバータ圧縮機７１Ａに液冷媒が流入する虞があると判定し、庫内熱交換器５１Ｃの冷媒流入部と庫内熱交換器５１Ｃの冷媒流出部との温度差または庫内熱交換器５１Ｃの冷媒流入部と一定速圧縮機７１Ｂの冷媒の吸込み管との温度差が所定温度以下の場合に一定速圧縮機７１Ｂに液冷媒が流入する虞があると判定するようにしても、より正確に圧縮機（インバータ圧縮機７１Ａ，一定速圧縮機７１Ｂ）に液冷媒が流入する虞がないかを判定できる。
【０１５９】
そして、圧縮機液冷媒流入判定手段１０７が、より正確に圧縮機（インバータ圧縮機７１Ａ，一定速圧縮機７１Ｂ）に液冷媒が流入する虞がないかを判定できれば、実際には、圧縮機（インバータ圧縮機７１Ａ，一定速圧縮機７１Ｂ）に液冷媒が流入するまで充分余裕があるにもかかわらず庫内熱交換器冷却能力判定手段１０６による判定がある前に圧縮機液冷媒流入判定手段１０７が圧縮機（インバータ圧縮機７１Ａ，一定速圧縮機７１Ｂ）に液冷媒が流入する虞があると判定してしまって、庫内ファン６１Ａ，６１Ｂ，６１Ｃの回転数が通常の庫内ファン６１Ａ，６１Ｂ，６１Ｃ運転時の回転数に高まり、庫内熱交換器５１Ａ，５１Ｂ，５１Ｃを通過する空気の流れが早くなって、庫内熱交換器５１Ａ，５１Ｂ，５１Ｃでの熱交換不足により庫内ファン６１Ａ，６１Ｂ，６１Ｃの回転数を上げる前よりも温度が少し高くなった空気が庫内（左庫内Ａ、中庫内Ｂ、右庫内Ｃ）に送風されて庫内（左庫内Ａ、中庫内Ｂ、右庫内Ｃ）の冷却が遅れる可能性を低減できる。
【０１６０】
（実施の形態２）
図６は本発明の実施の形態２における物品冷却装置を備えた自動販売機の節電運転後の圧縮機の運転状態と各庫内ファンの回転数の関係を示すタイムチャートである。
【０１６１】
本実施の形態は、節電運転終了により圧縮機（インバータ圧縮機７１Ａ、一定速圧縮機７１Ｂ）が運転を開始してから各庫内ファン６１Ａ，６１Ｂ，６１Ｃが通常運転に入るまでの各庫内ファン６１Ａ，６１Ｂ，６１Ｃの回転数を通常より小さく（低く）設定する庫内ファン回転数設定手段１０４が、通常運転時より低い回転数を各庫内ファン６１Ａ，６１Ｂ，６１Ｃに対して複数設定し、運転制御手段１０３が、図６に示すように節電運転終了後の通常運転に入るまでの各庫内ファン６１Ａ，６１Ｂ，６１Ｃの回転数を段階的に増加させる点で、実施の形態１と異なっており、その他は実施の形態１と同様であるので、重複する説明については説明を省略する。
【０１６２】
以上のように構成された本実施の形態の自動販売機２１について、図６を参照しながら、以下その動作、作用を説明する。
【０１６３】
図６に示すように、節電運転中は、運転制御手段１０３は、冷却運転を行わず、インバータ圧縮機７１Ａ、一定速圧縮機７１Ｂ、各庫内ファン６１Ａ，６１Ｂ，６１Ｃを停止させている。
【０１６４】
そして、節電運転終了検知手段１０５が節電運転終了を検知（ピークカットの場合、所定の時刻（予め設定された節電運転終了時刻）に到達するか、庫内温度が所定の温度に到達する等の節電運転を強制的に終了させる条件を満たしたことを検知）すれば、運転制御手段１０３は、インバータ圧縮機７１Ａと一定速圧縮機７１Ｂの運転を開始する。
【０１６５】
同時に、入力処理部１０２が、庫内温度である各庫内コラム内温度センサ４１Ａ，４１Ｂ，４１Ｃの温度を確認（検出）する。
【０１６６】
庫内温度が、左庫内Ａ、中庫内Ｂ、右庫内Ｃの順に高い場合、庫内ファン回転数設定手段１０４は、庫内ファン６１Ａ、庫内ファン６１Ｂ、庫内ファン６１Ｃの順に回転数を低く、それぞれ最初と２番目の２つずつ設定する。
【０１６７】
図６の例では、節電運転終了による圧縮機（インバータ圧縮機７１Ａ、一定速圧縮機７１Ｂ）の運転開始後に各庫内熱交換器５１Ａ、５１Ｂ、５１Ｃの温度が第１の所定温度以下、第２の所定温度以下になるごとに各庫内ファン６１Ａ，６１Ｂ，６１Ｃの回転数を変更する。
【０１６８】
例えば、庫内ファン６１Ａについては、節電運転終了によるインバータ圧縮機７１Ａの運転開始後に、庫内熱交換器５１Ａの温度が第１の所定温度以下（例えば８℃）になれば間欠率７５％で運転し、第２の所定温度以下（例えば５℃）になれば間欠率６０％で運転するのである。
【０１６９】
同様に、庫内ファン６１Ｂについては、節電運転終了による一定速圧縮機７１Ｂの運転開始後に、庫内熱交換器５１Ｂの温度が第１の所定温度以下（例えば８℃）になれば間欠率６０％で運転し、第２の所定温度以下（例えば５℃）になれば間欠率５０％で運転するのである。
【０１７０】
同様に、庫内ファン６１Ｃについては、節電運転終了による一定速圧縮機７１Ｂの運転開始後に、庫内熱交換器５１Ｃの温度が第１の所定温度以下（例えば８℃）になれば間欠率５０％で運転し、第２の所定温度以下（例えば５℃）になれば間欠率４０％で運転するのである。
【０１７１】
そして、運転制御手段１０３は、節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの間、通常運転時よりも低く設定された回転数で段階的に回転数が増加するように各庫内ファン６１Ａ，６１Ｂ，６１Ｃを運転する。
【０１７２】
以上のように、本実施の形態においては、節電運転終了直後の庫内温度に応じて各庫内ファン６１Ａ，６１Ｂ，６１Ｃの回転数を設定し、各庫内熱交換器５１Ａ，５１Ｂ，５１Ｃの温度が第１の所定温度以下、第２の所定温度以下になるごとに各庫内ファン６１Ａ，６１Ｂ，６１Ｃの回転数を変更することにより、節電運転が終了してから各庫内ファン６１Ａ，６１Ｂ，６１Ｃの通常運転に入るまでの間、庫内熱交換器５１Ａ，５１Ｂ，５１Ｃで蒸発しきらない液冷媒の量を抑え、液冷媒がインバータ圧縮機７１Ａや一定速圧縮機７
１Ｂへ液戻りすることを防止でき、インバータ圧縮機７１Ａや一定速圧縮機７１Ｂの信頼性を確保することができる。
【０１７３】
本実施の形態では、運転制御手段１０３が、節電運転終了後の各庫内ファン６１Ａ，６１Ｂ，６１Ｃの回転数を段階的に増加させることを特徴とする。
【０１７４】
一般に、節電運転による圧縮機（インバータ圧縮機７１Ａ、一定速圧縮機７１Ｂ）の長時間停止後の圧縮機（インバータ圧縮機７１Ａ、一定速圧縮機７１Ｂ）の運転開始直後からしばらくの間は、各庫内熱交換器５１Ａ，５１Ｂ，５１Ｃに液冷媒が供給されず、時間の経過にしたがって徐々に庫内熱交換器５１Ａ，５１Ｂ，５１Ｃへの液冷媒の供給量が増加していき、庫内熱交換器５１Ａ，５１Ｂ，５１Ｃへの液冷媒の供給量に比例するように庫内熱交換器５１Ａ，５１Ｂ，５１Ｃによる冷却能力が高まっていく。
【０１７５】
そのため、節電運転終了後の各庫内ファン６１Ａ，６１Ｂ，６１Ｃの回転数を段階的に増加させることにより、節電運転による圧縮機（インバータ圧縮機７１Ａ、一定速圧縮機７１Ｂ）の長時間停止後に、庫内ファン６１Ａ，６１Ｂ，６１Ｃの運転で左庫内Ａ、中庫内Ｂ、右庫内Ｃの物品（商品）を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにする効果を、より高めることができる。
【０１７６】
また、本実施の形態では、節電運転終了による圧縮機（インバータ圧縮機７１Ａ、一定速圧縮機７１Ｂ）の運転開始後に、各庫内ファン６１Ａ，６１Ｂ，６１Ｃに対して、通常運転時の回転数より低い回転数で２段階に回転数を増加させてから通常運転の回転数で運転するようにしているが、３段階以上に回転数を増加させても構わない。
【０１７７】
また、各庫内ファン６１Ａ，６１Ｂ，６１Ｃで増加させる段階数を同じにする必要はなく、各庫内ファン６１Ａ，６１Ｂ，６１Ｃの内で通常運転時の風速が速いものや、節電運転終了後の通常運転に入る前の回転数を低く抑える時間の長いものの段階数を他より多くしても構わない。
【０１７８】
（実施の形態３）
図７は本発明の実施の形態３における物品冷却装置を備えた自動販売機の制御系を示すブロック図、図８は同実施の形態の自動販売機の節電運転後の圧縮機の運転状態と各庫内ファンの回転数の関係を示すタイムチャート、図９は同実施の形態の自動販売機の運転制御手段による節電運転終了を検知してからの制御を示すフローチャートである。
【０１７９】
図７に示すように本実施の形態は、図３に示す実施の形態１の自動販売機２１を制御するコントローラ２７の主制御手段２００に、節電運転終了後の各庫内ファン６１Ａ，６１Ｂ，６１Ｃの少なくとも一つの運転開始を、節電運転終了時の庫内温度に応じて圧縮機（インバータ圧縮機７１Ａ、一定速圧縮機７１Ｂ）の運転開始よりも遅延時間だけ遅らせる遅延動作時間設定手段１０８を加えた点で、実施の形態１と異なっており、その他は実施の形態１と同様であるので、重複する説明については説明を省略する。
【０１８０】
具体的には、遅延動作時間設定手段１０８が、節電運転終了検知手段１０５が節電運転終了を検知した時の各庫内コラム内温度センサ４１Ａ，４１Ｂ，４１Ｃの測定（検出）温度が高い庫内の庫内ファン６１Ａ，６１Ｂ，６１Ｃほど、節電運転終了後の運転開始が遅れるよう庫内ファン６１Ａ，６１Ｂ，６１Ｃの遅延時間を設定する。
【０１８１】
以上のように構成された本実施の形態の自動販売機２１について、図８、図９を参照し
ながら、以下その動作、作用を説明する。
【０１８２】
図８に示すように、節電運転中は、運転制御手段１０３は、冷却運転を行わず、インバータ圧縮機７１Ａ、一定速圧縮機７１Ｂ、各庫内ファン６１Ａ，６１Ｂ，６１Ｃを停止させている。
【０１８３】
そして、節電運転終了検知手段１０５が節電運転終了を検知（ピークカットの場合、所定の時刻（予め設定された節電運転終了時刻）に到達するか、庫内温度が所定の温度に到達する等の節電運転を強制的に終了させる条件を満たしたことを検知）すれば（図９のＳＴＥＰ１）、運転制御手段１０３は、インバータ圧縮機７１Ａと一定速圧縮機７１Ｂの運転を開始し、入力処理部１０２が、庫内温度である各庫内コラム内温度センサ４１Ａ，４１Ｂ，４１Ｃの温度を確認（検出）する（図９のＳＴＥＰ２）。
【０１８４】
庫内温度が、中庫内Ｂ、左庫内Ａ、右庫内Ｃの順に高い場合、庫内ファン回転数設定手段１０４は、庫内ファン６１Ｂ、庫内ファン６１Ａ、庫内ファン６１Ｃの順に回転数を低く設定する。また、庫内ファン６１Ｂについては、他の庫内ファン６１Ａ，６１Ｃよりも節電運転終了後の運転開始を遅らせる。
【０１８５】
図８の例では、遅延動作時間設定手段１０８が節電運転終了による圧縮機（インバータ圧縮機７１Ａ、一定速圧縮機７１Ｂ）の運転開始から各庫内ファン６１Ａ，６１Ｂ，６１Ｃが動作するまでの遅延動作時間を、庫内ファン６１Ａと庫内ファン６１Ｃについては０分、庫内ファン６１Ｂについては２分と設定する（図９のＳＴＥＰ３）。
【０１８６】
また、最も庫内温度が高い庫内ファン６１Ｂについては、運転開始時の回転数が間欠率７５％となる通常よりも低く設定される。
【０１８７】
また、２番目に庫内温度が高い庫内ファン６１Ａについては、運転開始時の回転数が間欠率６０％となる通常よりも低く設定される。
【０１８８】
また、最も庫内温度が低い庫内ファン６１Ｃについては、運転開始時の回転数が間欠率５０％となる通常よりも低く設定される。
【０１８９】
そして、節電運転終了による圧縮機（インバータ圧縮機７１Ａ、一定速圧縮機７１Ｂ）の運転開始から各庫内ファン６１Ａ，６１Ｂ，６１Ｃ毎に遅延動作時間設定手段１０８により設定された遅延時間（庫内ファン６１Ａと庫内ファン６１Ｃについては０分、庫内ファン６１Ｂについては２分）経過後に（図９のＳＴＥＰ４をＹｅｓ側に分岐して）、運転制御手段１０３は、各庫内ファン６１Ａ，６１Ｂ，６１Ｃの通常運転に入るまでの間、通常運転時よりも低く設定された回転数で各庫内ファン６１Ａ，６１Ｂ，６１Ｃを運転する（図９のＳＴＥＰ５）。
【０１９０】
そして、庫内熱交換器温度センサ１０１Ａが検出する庫内熱交換器５１Ａの温度が所定温度以下（例えば５℃以下）になれば、図９のＳＴＥＰ６をＹｅｓ側に分岐して、庫内熱交換器冷却能力判定手段１０６は、庫内熱交換器５１Ａが所定の冷却能力を有していると判定して、運転制御手段１０３は、庫内ファン６１Ａを通常の回転数で運転する（図９のＳＴＥＰ８）。
【０１９１】
同様に、庫内熱交換器温度センサ１０１Ｂが検出する庫内熱交換器５１Ｂの温度が所定温度以下（例えば５℃以下）になれば、図９のＳＴＥＰ６をＹｅｓ側に分岐して、庫内熱交換器冷却能力判定手段１０６は、庫内熱交換器５１Ｂが所定の冷却能力を有していると判定して、運転制御手段１０３は、庫内ファン６１Ｂを通常の回転数で運転する（図９の
ＳＴＥＰ８）。
【０１９２】
同様に、庫内熱交換器温度センサ１０１Ｃが検出する庫内熱交換器５１Ｃの温度が所定温度以下（例えば５℃以下）になれば、図９のＳＴＥＰ６をＹｅｓ側に分岐して、庫内熱交換器冷却能力判定手段１０６は、庫内熱交換器５１Ｃが所定の冷却能力を有していると判定して、運転制御手段１０３は、庫内ファン６１Ｃを通常の回転数で運転する（図９のＳＴＥＰ８）。
【０１９３】
なお、庫内熱交換器温度センサ１０１Ａが検出する庫内熱交換器５１Ａの温度が所定温度以下（例えば５℃以下）に到達していなくても（図９のＳＴＥＰ６をＮｏ側に分岐する場合でも）、圧縮機液冷媒流入判定手段１０７が、庫内熱交換器冷媒流出部温度センサ１０９Ａが検出する庫内熱交換器５１Ａの冷媒流出部の温度または圧縮機吸込み管温度センサ１１０Ａが検出したインバータ圧縮機７１Ａの冷媒の吸込み管の温度を基に、インバータ圧縮機７１Ａに液冷媒が流入する虞があると判定すれば、図９のＳＴＥＰ７をＹｅｓ側に分岐して、運転制御手段１０３は、庫内ファン６１Ａを通常の回転数で運転する（図９のＳＴＥＰ８）。
【０１９４】
また、庫内熱交換器温度センサ１０１Ｂが検出する庫内熱交換器５１Ｂの温度が所定温度以下（例えば５℃以下）に到達していなくても（図９のＳＴＥＰ６をＮｏ側に分岐する場合でも）、圧縮機液冷媒流入判定手段１０７が、庫内熱交換器冷媒流出部温度センサ１０９Ｂが検出する庫内熱交換器５１Ｃの冷媒流出部の温度または圧縮機吸込み管温度センサ１１０Ｂが検出した一定速圧縮機７１Ｂの冷媒の吸込み管の温度を基に、一定速圧縮機７１Ｂに液冷媒が流入する虞があると判定すれば、図９のＳＴＥＰ７をＹｅｓ側に分岐して、運転制御手段１０３は、庫内ファン６１Ｂを通常の回転数で運転する（図９のＳＴＥＰ８）。
【０１９５】
同様に、庫内熱交換器温度センサ１０１Ｃが検出する庫内熱交換器５１Ｃの温度が所定温度以下（例えば５℃以下）に到達していなくても（図９のＳＴＥＰ６をＮｏ側に分岐する場合でも）、圧縮機液冷媒流入判定手段１０７が、庫内熱交換器冷媒流出部温度センサ１０９Ｂが検出する庫内熱交換器５１Ｃの冷媒流出部の温度または圧縮機吸込み管温度センサ１１０Ｂが検出した一定速圧縮機７１Ｂの冷媒の吸込み管の温度を基に、一定速圧縮機７１Ｂに液冷媒が流入する虞があると判定すれば、図９のＳＴＥＰ７をＹｅｓ側に分岐して、運転制御手段１０３は、庫内ファン６１Ｃを通常の回転数で運転する（図９のＳＴＥＰ８）。
【０１９６】
以上のように、本実施の形態においては、節電運転終了直後の庫内温度に応じて、各庫内ファン６１Ａ，６１Ｂ，６１Ｃの回転数を通常運転より小さく（低く）設定すると共に、比較的庫内温度の高い中庫内Ｂの庫内ファン６１Ｂを、節電運転終了により一定速圧縮機７１Ｂの運転を開始してから所定の遅延時間だけ遅延させて動作させることにより、節電運転が終了してから各庫内ファン６１Ａ，６１Ｂ，６１Ｃの通常運転に入るまでの間、庫内熱交換器５１Ａ，５１Ｂ，５１Ｃで蒸発しきらない液冷媒の量を抑え、液冷媒がインバータ圧縮機７１Ａや一定速圧縮機７１Ｂへ液戻りすることを防止でき、インバータ圧縮機７１Ａや一定速圧縮機７１Ｂの信頼性を確保することができる。
【０１９７】
さらに、インバータ圧縮機７１Ａ、一定速圧縮機７１Ｂの信頼性を確保しつつ、遅延動作させた中庫内Ｂの庫内熱交換器５１Ｂの温度を早く下げることができ、中庫内Ｂの商品温度をより早く冷却することができる。
【０１９８】
本実施の形態では、運転制御手段１０３が、節電運転終了後の各庫内ファン６１Ａ，６１Ｂ，６１Ｃの少なくとも一つの運転開始を圧縮機（インバータ圧縮機７１Ａ、一定速圧
縮機７１Ｂ）の運転開始よりも遅延時間だけ遅らせることを特徴とする。
【０１９９】
一般に、節電運転による圧縮機（インバータ圧縮機７１Ａ、一定速圧縮機７１Ｂ）の長時間停止後の圧縮機（インバータ圧縮機７１Ａ、一定速圧縮機７１Ｂ）の運転開始直後からしばらくの間は、庫内熱交換器５１Ａ，５１Ｂ，５１Ｃに液冷媒が供給されず、時間の経過にしたがって徐々に庫内熱交換器５１Ａ，５１Ｂ，５１Ｃへの液冷媒の供給量が増加していき、庫内熱交換器５１Ａ，５１Ｂ，５１Ｃへの液冷媒の供給量に比例するように庫内熱交換器５１Ａ，５１Ｂ，５１Ｃによる冷却能力が高まっていく。
【０２００】
そのため、圧縮機（インバータ圧縮機７１Ａ、一定速圧縮機７１Ｂ）の運転開始直後の庫内熱交換器５１Ａ，５１Ｂ，５１Ｃに液冷媒がほとんど供給されていないうちは、庫内ファン６１Ａ，６１Ｂ，６１Ｃを停止させていても、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮める虞はない。
【０２０１】
なお、本実施の形態では、庫内熱交換器５１Ｂから液冷媒が流出しても、庫内熱交換器５１Ｂから流出した液冷媒を庫内熱交換器５１Ｃで蒸発させることができ、中庫内Ｂと右庫内Ｃの両方を同時に冷却する場合は、庫内熱交換器５１Ｂから液冷媒が流出するようにしなければ、庫内熱交換器５１Ｃの冷却能力で右庫内Ｃを冷却することはできない。
【０２０２】
また、節電運転終了後の庫内ファン６１Ａ，６１Ｂ，６１Ｃの運転開始を圧縮機（インバータ圧縮機７１Ａ、一定速圧縮機７１Ｂ）の運転開始よりも遅延時間だけ遅らせると、節電運転終了直後の庫内熱交換器５１Ａ，５１Ｂ，５１Ｃで冷却されていない空気流で左庫内Ａ、中庫内Ｂ、右庫内Ｃの物品（商品）を暖めてしまうこともなく、圧縮機（インバータ圧縮機７１Ａ、一定速圧縮機７１Ｂ）の運転開始に同期して庫内ファン６１Ａ，６１Ｂ，６１Ｃの運転を開始した場合に比べて、庫内熱交換器５１Ａ，５１Ｂ，５１Ｃの温度を早く下げることができる。
【０２０３】
また、圧縮機（インバータ圧縮機７１Ａ、一定速圧縮機７１Ｂ）よりも遅延時間だけ遅れて運転を開始した庫内ファン６１Ａ，６１Ｂ，６１Ｃは、圧縮機（インバータ圧縮機７１Ａ、一定速圧縮機７１Ｂ）が運転を開始してから所定条件を満たすまでは通常の庫内ファン６１Ａ，６１Ｂ，６１Ｃ運転時の回転数よりも低く抑えるので、節電運転終了後の庫内ファン６１Ａ，６１Ｂ，６１Ｃの回転数を段階的に増加させる実施の形態２と同様の効果も有する。
【０２０４】
したがって、遅延時間を適切に設定することにより、節電運転による圧縮機（インバータ圧縮機７１Ａ、一定速圧縮機７１Ｂ）の長時間停止後に、庫内ファン６１Ａ，６１Ｂ，６１Ｃの運転で左庫内Ａ、中庫内Ｂ、右庫内Ｃの物品（商品）を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにする効果を、実施の形態２よりも高めることができる。
【０２０５】
ところで、図２に示す冷凍サイクルでは、三方弁９４からキャピラリチューブ９３Ｃを経由して庫内熱交換器５１Ｃに冷媒が流れるようにした場合は、中庫内Ｂの庫内熱交換器５１Ｂには冷媒が流れないため、中庫内Ｂと右庫内Ｃのうち右庫内Ｃだけが冷却され、中庫内Ｂの庫内熱交換器５１Ｂにも冷媒が流れるように三方弁９４を切り替えた後は、中庫内Ｂの庫内熱交換器５１Ｂで熱交換された後の冷媒が右庫内Ｃの庫内熱交換器５１Ｃに流れる（中庫内Ｂの庫内熱交換器５１Ｂで蒸発しなかった液冷媒が右庫内Ｃの庫内熱交換器
５１Ｃに流れる）ため、庫内熱交換器５１Ｃの冷却能力が低下する。
【０２０６】
そのため、中庫内Ｂの庫内ファン６１Ｂの運転開始を右庫内Ｃの庫内ファン６１Ｃよりも遅らせる場合は、節電運転終了により一定速圧縮機７１Ｂの運転と右庫内Ｃの庫内ファン６１Ｃの運転を開始する時に、三方弁９４からキャピラリチューブ９３Ｃを経由して庫内熱交換器５１Ｃに冷媒が流れるようにして、庫内熱交換器５１Ｃで右庫内Ｃを冷却し、右庫内Ｃの庫内ファン６１Ｃの運転開始から遅延時間だけ遅れて中庫内Ｂの庫内ファン６１Ｂの運転を開始する前に、中庫内Ｂの庫内熱交換器５１Ｂにも冷媒が流れるように三方弁９４を切り替えるようにしても構わない。
【０２０７】
このようにすると、最初、中庫内Ｂの庫内熱交換器５１Ｂに冷媒を流さない分、右庫内Ｃの庫内熱交換器５１Ｃに流れる液冷媒の割合を増やして庫内熱交換器５１Ｃの冷却能力を高めて右庫内Ｃを早く冷却させることができ、また、中庫内Ｂの庫内熱交換器５１Ｂにも冷媒が流れるように三方弁９４を切り替えた後に庫内熱交換器５１Ｃの冷却能力が低下する分を考慮して庫内熱交換器５１Ｃで右庫内Ｃを充分に冷却しておくことができる。
【０２０８】
さらに、三方弁９４に液冷媒が流れるようになってから中庫内Ｂの庫内熱交換器５１Ｂにも冷媒が流れるように三方弁９４を切り替えると、庫内熱交換器５１Ｂに冷媒が流れ始めてから庫内熱交換器５１Ｂが冷媒の蒸発で充分に冷却されるまでの時間を短縮することができる。
【産業上の利用可能性】
【０２０９】
以上のように、本発明にかかる物品冷却装置は、圧縮機と庫内ファンを有する冷却装置の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにすることができるので、飲料等の商品を冷却して販売する自動販売機に最適であるが、飲料自動販売機のような節電運転を行うものに限らず、圧縮機と庫内ファンを有する冷却装置を長時間停止することがあり得る家庭用冷蔵庫、業務用冷蔵庫、冷凍庫、冷蔵倉庫等の庫内を冷却する用途にも適用できる。
【符号の説明】
【０２１０】
２１  自動販売機
５１Ａ，５１Ｂ，５１Ｃ  庫内熱交換器
６１Ａ，６１Ｂ，６１Ｃ  庫内ファン
７１Ａ  インバータ圧縮機
７１Ｂ  一定速圧縮機
１０１Ａ，１０１Ｂ，１０１Ｃ  庫内熱交換器温度センサ
１０３  運転制御手段
１０４  庫内ファン回転数設定手段
１０５  節電運転終了検知手段
１０６  庫内熱交換器冷却能力判定手段
１０７  圧縮機液冷媒流入判定手段
１０８  遅延動作時間設定手段
１０９Ａ，１０９Ｂ  庫内熱交換器冷媒流出部温度センサ
１１０Ａ，１１０Ｂ  圧縮機吸込み管温度センサ
【図１】
0005948561.tif 000002
【図２】
0005948561.tif 000003
【図３】
0005948561.tif 000004
【図４】
0005948561.tif 000005
【図５】
0005948561.tif 000006
【図６】
0005948561.tif 000007
【図７】
0005948561.tif 000008
【図８】
0005948561.tif 000009
【図９】
0005948561.tif 000010